(57)【要約】【課題】幅広線が安定に且つ高い占積率で多層に整列巻きされ得る多層整列巻コイルの提供【解決手段】幅広線の多層整列巻コイル１は、各層が、横断面で規定される無端リングの一部の連続的な角度領域で該横断面に斜めに延在する斜め渡り巻線部分と、別の一部の角度領域で横方向に延在する横方向巻線部分とを有し、且つ条件１，２を満たす連続的な二層を複数対備える。１．二層の下側の層の最終列の斜め渡り巻線部分に徐々に乗上げて上側の層に達する漸進的乗上げ横方向巻線部分ＹＭ，ＹＭを備えた横方向巻線部分からなる第一列の巻線部。２．漸進的乗上げ横方向巻線部分ＹＭ，ＹＭの乗上げ開始領域から漸進的乗上げ領域の上を斜めに横切る乗越え領域部分Ｘ２，Ｘ４を含む乗上げ斜め渡り巻線部分ＲＭ，ＲＭを備えた第二列の巻線部。少なくとも二対の二層の乗越え領域部分Ｘ２，Ｘ４が、無端リングの異なる角度領域Ｐ１，Ｐ３に位置する。【選択図】図６
2008159840.tif 000002
【特許請求の範囲】
【請求項１】
幅広線からなる巻線を筒状に多層に整列巻きしてなり、各層が、筒の長手方向軸線に対して実質的に垂直な横断面によって規定される無端リングのうち一部の連続的な角度領域において該横断面に沿う方向に対して斜めに延在する斜め渡り巻線部分と、無端リングのうち別の一部の角度領域において前記横断面に沿うように横方向に延在する横方向巻線部分とを有し、且つ次の条件（１）及び（２）を満たす連続的に重なる二層を複数対備えた多層整列巻コイルであって、
（１）  前記二層のうち下側の層の最終列の斜め渡り巻線部分に徐々に乗上げて該下側の層からその一つ上に位置する上側の層に達する漸進的乗上げ横方向巻線部分を備えた第一の横方向巻線部分からなる第一列の巻線部、及び
（２）  前記漸進的乗上げ横方向巻線部分のうち前記斜め渡り巻線部分への乗上げを開始する乗上げ開始領域から前記斜め渡り巻線部分に少なくとも部分的に重なった漸進的乗上げ領域の上を斜めに横切るように延在し、延在端において前記下側の層の斜め渡り巻線部分上に降りる乗上げ斜め渡り巻線部分を備えた第二列の巻線部を有し、
更に、前記複数対の前記二層のうち少なくとも二対の前記二層の第二列の巻線部の前記乗上げ斜め渡り巻線部分につき、前記漸進的乗上げ横方向巻線部分の前記漸進的乗上げ領域の上を斜めに横切る乗越え領域部分が、前記無端リングの角度領域に関して相互に異なる角度領域に位置する多層整列巻コイル。
【請求項２】
前記少なくとも二対の前記二層のうち最も下側に位置する対の下側の層の斜め渡り巻線部の前記横断面に対する傾斜よりも、該前記少なくとも二対の前記二層のうちより上側に位置する対の下側の層の斜め渡り巻線部の前記横断面に対する傾斜の方が小さい請求項１に記載の多層整列巻コイル。
【請求項３】
前記複数対の前記二層のうち三対以上の前記二層の第二列巻線部の前記乗上げ斜め渡り巻線部分の前記乗越え領域部分が、前記無端リングの角度領域に関して相互に異なる角度領域に位置する請求項１又は２に記載の筒状多層巻線コイル。
【請求項４】
前記複数対の前記第二層のうち連続する少なくとも二対の前記二層の第二列巻線部の前記乗上げ斜め渡り巻線部分の前記乗越え領域部分が、前記無端リングの角度領域に関して、同一の角度領域に位置する請求項１から３までのいずれか一つの項に記載の多層整列巻コイル。
【請求項５】
前記複数対の前記第二層のうち連続する二対の前記二層の第二列巻線部の前記乗上げ斜め渡り巻線部分の前記乗越え領域部分が、前記無端リングの角度領域に関して、同一の角度領域に位置する請求項４に記載の多層整列巻コイル。
【請求項６】
前記無端リングが曲率の異なる複数の曲率部分を有し、前記複数の前記乗上げ斜め渡り巻線部分の前記乗越え領域部分のうち少なくとも一つの前記乗越え領域部分が、前記複数の曲率部分のうち曲率の小さい小曲率部分である請求項１から５までのいずれか一つの項に記載の多層整列巻コイル。
【請求項７】
前記小曲率部分は、その曲率が実質的にゼロの部分である請求項６に記載の多層整列巻コイル。
【請求項８】
前記無端リングが実質的に矩形又は長円形である請求項６又は７に記載の多層整列巻コイル。
【請求項９】
前記無端リングが曲率の異なる複数の曲率部分を有し、前記複数の前記乗上げ斜め渡り巻線部分の前記乗越え領域部分のうち少なくとも一つの前記乗越え領域部分が、前記複数の曲率部分のうち曲率の大きい大曲率部分である請求項１から５までのいずれか一つの項に記載の多層整列巻コイル。
【請求項１０】
前記第二列の巻線部が、前記乗上げ斜め渡り巻線部分の前記延在端において転向して前記第一列の横方向巻線部分の第二列側の側縁に沿って前記横方向に前記下側の層の斜め渡り巻線部分上を延在する第二の横方向巻線部分を備える請求項１から９までのいずれか一つの項に記載の多層整列巻コイル。
【発明の詳細な説明】
【技術分野】
【０００１】
本発明は、幅広線からなる巻線を筒状に多層に整列巻きしてなる多層整列巻コイルに係る。
【０００２】
この明細書において、巻線について、幅広線とは、幅が厚さよりも大きい線であって、巻線の幅方向中央部に厚さが実質的に一定の領域があるものをいう。また、多層整列巻コイルについて、筒状とは、巻線からなるコイルが筒状であることをいい、筒の内側に芯体があってもなくてもよく、芯体がある場合、該芯体は、中実であっても中空であってもよい。多層整列巻コイルについて、整列巻きとは、複数列の巻線部を備えるコイルにおいて、該複数列のうちの大半の列の巻線部について、隣接する列の巻線部が相互に対面する側縁部において実際上密接又は近接した状態で実質的に平行に並ぶように巻かれていることをいい、より詳しくは、幅広線からなる巻線が、コイルの巻線部として既に巻回されている部分と同一の層に形成される場合、直前に巻回された巻線部に実際上倣うように該直前巻線部の隣接側縁部に対して側縁部が押付けられつつ下側の巻線層上に（最下層の場合は巻芯の外周面上に）巻付けられることにより隣接する巻線部に整列して巻回されること乃至該巻き方で形成されたものをいい、且つ幅広線からなる巻線が、コイルの各層の一ターン目を形成する場合、隣接するフランジ状支持面に実際上倣うように、該隣接フランジ状支持面に押付けられつつ下側の巻線層上に（最下層の場合は巻芯の外周面上に）巻付けられること乃至該巻き方で形成されたものをいう。
【背景技術】
【０００３】
一つの典型的な多層整列巻コイルとしては、本発明者が開発し且つ図示して開示した二種類の平角線多層整列巻角形コイルがある（特許文献１）。
【０００４】
この二種類のうち、最も典型的なものは、特許文献１の図１から図３等に開示されたタイプのもので、ここで添付した図１７の（ａ）から（ｃ）に示すような構造を有する。
【０００５】
従来の典型的な平角線多層整列巻角形コイル１０１では、図１７の（ａ）から（ｃ）に示したように、横断面（コイル１０１の長手方向に延びる中心軸線ＰＣ１に垂直な断面）ＰＶが矩形ＰＳのコイル１０１の三辺ＰＳ１，ＰＳ２，ＰＳ３の巻線部が多層整列巻コイル１０１の横断面に沿って延在する横方向巻線部ＰＹ１１，ＰＹ１２，ＰＹ１３（第一層の横方向巻線部を区別しないとき又は総称するときは符号ＰＹ１で表し、更に、層を区別しないときは符号ＰＹで表す）からなり、矩形ＰＳの残りの一辺ＰＳ４において巻線部が巻線ＰＤ１の一つ分だけずれるように横断面に対して斜め方向ＰＢ１に延在する斜め渡り巻線部ＰＲ１（層を区別しないときは符号ＰＲで表す）からなる。この多層整列巻コイル１０１では、横方向巻線部ＰＹ１が実際上相互に密接して配置され、コイル１０１の長さは、横方向巻線部ＰＹの幅の整数倍（図示の例では５倍）に実質的に一致する。この多層整列巻コイル１０１では、斜め渡り巻線部ＰＲ１と横方向巻線部ＰＹ１，ＰＹ３との転向部ＰＴ１，ＰＴ３は、隅部ＰＫ１，ＰＫ４に形成される。図１７の（ｂ）に示したように、多層整列巻コイル１０１の第一層ＰＬ１の最終列の斜め渡り巻線部ＰＲ１Ｆに対して横方向巻線部ＰＹ２が徐々に乗上げる。これにより漸進的乗上げ部ＰＺが形成される。但し、漸進的乗上げ部ＰＺはこの例では、辺ＰＳ４のうち隅部ＰＫ４に近い領域にある。図１７の（ｃ）に示したように、第二層ＰＬ２の斜め渡り巻線部ＰＲ２は、漸進的乗上げ部ＰＺ及びそれに続く横断部ＰＹ２１の第二列側の側縁ＰＥ２に倣うように延びた第一列目の斜め渡り巻線部ＰＲ２１を有する。この場合、第二層の斜め渡り巻線部ＰＲ２は、巻線の巻回方向に関して第一層の斜め渡り巻線部ＰＲ１よりも一つだけ上流側の辺ＰＳ３に位置する。その他の点では第一層の巻線部と同様にして、第二層の整列巻きが行われる。第三層以上の層も同様である。
【０００６】
このタイプの平角線多層整列巻コイル１０１では、例えば、図１７の（ｃ）からわかるように、第二層の第一列の斜め渡り巻線部ＰＲ２１とその下に位置する第一層の最終列の横方向巻線部ＰＹ１３Ｆが部分的に重なる辺ＰＳ３において、隙間ＰＧ１が生じる。この隙間ＰＧ１は、比較的大きい（横断方向巻線部ＰＲ２のほぼ１／２の体積を有する）ので、その分だけ、多層整列巻コイル１０１の占積率が低くなる。各層間毎にこの隙間ＰＧ１が生じることから、多層整列巻コイル１０１が多くの層を有する場合、この占積率の低下が顕著になる。特に、多層整列巻コイル１０１を構成する巻線部の列数が少ない程、この占積率の低下が増大し、無視し難くなる虞れがある。
【０００７】
特許文献１において本発明者が図示して提案した二種類のうちもう一つのタイプの多層整列巻コイルは、特許文献１の図１０に開示されたタイプのもので、ここで添付した図１８の（ａ）から（ｃ）に示すような構造を有する。
【０００８】
この第二のタイプの従来の平角線多層整列巻角形コイル２０１も、図１８の（ａ）〜（ｃ）からわかるように、平角線のような幅広線からなる巻線ＰＤ１を中空角筒２０２状に多層に整列巻きしてなる点、及び各層ＰＬが、筒２０２の横断面によって規定される無端リング（この場合は矩形）ＰＳのうち一つの連続的な角度領域（この場合、矩形ＰＳを構成する四辺ＰＳ１，ＰＳ２，ＰＳ３，ＰＳ４のうちの一つの辺）ＰＳ４において筒２０２の横断面（筒の長手方向軸線ＰＣ１に対して実質的に垂直な仮想平面）ＰＶに対して斜め方向ＰＢ１に延在する斜め渡り巻線部分ＰＲと、無端リングＰＳのうち他の角度領域ＰＳ１，ＰＳ２，ＰＳ３において横断面ＰＶに沿うように横方向ＰＦに延在する横方向巻線部分ＰＹ１１，ＰＹ１２，ＰＹ１３とを有する点では、図１７に示した平角線多層整列巻コイル１０１と同様である。
【０００９】
但し、この第二の平角線多層整列巻角形コイル２０１では、図１８の（ａ）からわかるように、コイル２０１の長さは、相互に実際上密接して配置された横方向巻線部ＰＹの幅の整数倍（図示の例では５倍）よりも間隙ＰＧ２の幅だけ大きい長さを有し（この間隙ＰＧ２の幅は平角線ＰＤ１の幅よりもかなり狭い）、且つ次の条件（１）及び（２）を満たす連続的に重なる二層ＰＬａ，ＰＬｂを複数組備える。
【００１０】
条件（１）
図１８の（ｂ）に示したように、二層ＰＬａ，ＰＬｂのうち下側の層ＰＬａの最終列の斜め渡り巻線部分ＰＲＦに徐々に乗上げて該下側の層ＰＬａからその一つ上に位置する上側の層ＰＬｂに達する漸進的乗上げ横方向巻線部分ＰＹＭを含む第一の横方向巻線部分ＰＹＡの形態の第一列の巻線部ＰＷ１を備えること。
【００１１】
条件（２）
図１８の（ｃ）に示したように、第一の横方向巻線部分ＰＹＡの前記漸進的乗上げ横方向巻線部分ＰＹＭのうち前記斜め渡り巻線部ＰＲＦへの乗上げを開始する乗上げ開始領域から前記斜め渡り巻線部分ＰＲＦに少なくとも部分的に重なった漸進的乗上げ領域に上を斜めに横切るように延在し延在端において下側の層Ｌａの斜め渡り巻線部分ＰＲ上に降りる乗上げ斜め渡り巻線部分ないし漸進的乗上げ斜め渡り巻線部分ＰＲＭと、該乗上げ斜め渡り巻線部分ＰＲＭの延在端の転向部ＰＴＣにおいて転向して前記第一の横方向巻線部分ＰＹＡの第二列側の側縁ＰＥ２に沿って前記横方向ＰＦに延在する第二の横方向巻線部分ＰＹＢとを有する第二列の巻線部ＰＷ２を備えること。
【００１２】
なお、この第二のタイプの平角線多層整列巻コイル２０１では、第二層ＰＬ２の巻線が第一層ＰＬ１の巻線上に巻かれるのと同様にして、第三層ＰＬ３（図示せず）の巻線が第二層ＰＬ２の巻線上に巻かれ、第三層ＰＬ３（図示せず）の巻線が第二層ＰＬ２の巻線上に巻かれるのと同様にして、第四層ＰＬ４（図示せず）の巻線が第三層ＰＬ３（図示せず）の巻線上に巻かれることが繰返される。
【００１３】
すなわち、前記複数組の前記二層のうち少なくとも二対の前記二層ＰＬａ，ＰＬｂの第二列巻線部ＰＷ２の乗上げ斜め渡り巻線部分ＰＲＭにつき、漸進的乗上げ横方向巻線部分ＰＹＭの前記漸進的乗上げ領域の上を斜めに横切る乗越え領域部分ＰＸが、筒の横断面によって規定される無端リングＰＳの角度領域に関して常に同じ角度領域−この例では辺ＰＳ４の角部ＰＫ１に近い領域−に位置する。
【００１４】
このタイプの多層整列巻コイル２０１では、図１８の（ｃ）からわかるように、第二層ＰＬｂの第一列の斜め渡り巻線部ＰＲＭと第一層ＰＬａの最終列の横断巻線部ＰＹＡが重なる辺Ｓ４での隙間ＰＧ３が第一のタイプの多層整列巻コイル１０１の隙間ＰＧ１と比較して小さいので、その分だけ（小さい間隙ＰＧ２の体積を考慮しても）、多層整列巻コイル２０１の占積率が高められ得る。
【００１５】
しかしながら、本発明者は、このタイプの多層整列巻コイル２０１では、転向部ＰＴＣの手前側に生じる突出部Ｈの形成を避け得ないことを見出し、多層整列巻コイル２０１の巻線ＰＤ１の状態を詳細に検討した結果次のことが判明した。
【００１６】
すなわち、この多層整列巻コイル２０１において、漸進的乗上げ横方向巻線部分ＰＹＭのうち、乗上げ斜め渡り巻線部分ＰＲＭが斜め方向横切りを完了する部位は、漸進的乗上げが進行して上側の層Ｌｂに近付いているので、乗上げ斜め渡り巻線部分ＰＲＭのうち漸進的乗上げ横方向巻線部分ＰＹＭから降りる前の乗越え領域ＰＸは、上側の層Ｌｂよりもかなり高い位置（上側の層が二層目である場合、実際上、三層目）に位置する。すなわち、乗上げ斜め渡り巻線部ＰＲＭのうち、斜め渡り巻線部ＰＲに乗上げている漸進的乗上げ横方向巻線部ＰＹＭ上に重なる乗越え領域ＰＸは、第二層よりもかなり高い位置に達する。一方、乗上げ斜め渡り巻線部分ＰＲＭのうち下側の層Ｌａに降りた部位は、丁度上側の層Ｌａと一致する高さ位置にある。その結果、乗上げ斜め渡り巻線部分ＰＲＭと第二の横方向巻線部分ＰＹＢとの転向部ＰＴＣの手前側の乗越え領域ＰＸには、横断面ＰＶでみて矩形ＰＳの隅部ＰＫ１及びその近傍において、外向きＰＪに突出した突出部ＰＨが形成される。
【００１７】
なお、この種の突出部ＰＨは、斜め渡り巻線部ＰＲに徐々に乗上げている漸進的乗上げ横方向巻線部分ＰＹＭの上を乗上げ斜め渡り巻線部分ＰＲＭが横切る乗越え領域ＰＸにおいて、三つの巻線部の重なりに伴って不可避的に生じるもので、このような関係をもつ任意の隣接する二層間で生じる。
【００１８】
従って、積層を繰返すと、多層整列巻コイル２０１の横断面で見て実際上同じ箇所に突出部ＰＨができ、この突出部ＰＨが重なると、その突出が大きくなり、巻線ＰＤ１の整列巻が実際上できなくなる。
【００１９】
本発明者は、第二のタイプの多層整列巻コイルを改良した平角線多層整列巻角形コイルを開発し、これを製造・販売している。この改良された平角線多層整列巻角形コイル３０１及びその巻き方の概要を図１９の（ａ）から（ｈ）に示す（なお、コイル３０１自体は、商品として販売され使用されていることから、このコイル３０１について、この明細書では、「背景技術」として説明するけれども、「コイル３０１を巻くプロセスないし方法自体は、公知ではない」）。
【００２０】
この多層整列巻コイル３０１は、図１９の（ａ）及び（ｂ）等からわかるように、矩形ＰＳの四辺ＰＳ１，ＰＳ２，ＰＳ３，ＰＳ４のうち一つの辺ＰＳ１の更にその一部の角度領域θ１に、斜め渡り巻線部分ＰＲを有する。なお、以下では、今まで製造販売していた多層整列巻コイルの問題点がわかり易いように、多層整列巻コイル３０１の各層が四列からなるとして図示している。また、以下では多層整列巻コイル３０１の各部分をＬ（ｉ；ｊ；ｋ）（但し、ｉ＝１，２，３，４；ｊ＝１，２，３，４；ｋ＝１，２，３，４）で示す。ここで、ｉは層を表し（例えば、ｉ＝１は第一層（最下層））、ｊは列を表し（例えば、ｊ＝１は第一列（図１９の（ａ）〜（ｈ）において、奇数番目の層では右端の列、偶数番目の層では左端の列）、ｊ＝４は第四列（最終列））、ｋは四辺を表す（ｋ＝１は第一辺）。
【００２１】
より詳しくは、巻始めを表す図１９の（ａ）や３ターン目を巻き終わった状態を示す図１９の（ｂ）や７ターン目を巻き終わった状態を示す図１９の（ｅ）等からわかるように、多層整列巻コイル３０１は、辺ＰＳ１を構成する巻線部分Ｌ（ｉ；ｊ；１）のうち一部の角度領域θ１に斜め渡り巻線部分ＰＲを有し、辺ＰＳ１を構成する巻線部分Ｌ（ｉ；ｊ；１）のうちの残りの角度領域θ２では、横方向巻線部分ＰＹを有する。辺ＰＳ２，ＰＳ３，ＰＳ４を構成する巻線部分Ｌ（ｉ；ｊ；２），Ｌ（ｉ；ｊ；３），Ｌ（ｉ；ｊ；４）は、いずれも、横方向巻線部分ＰＹのみからなる。なお、図１９の（ｃ），（ｄ），（ｆ），（ｇ）及び（ｈ）は、夫々、４ターン目、５ターン目、８ターン目、１２ターン目及び１３ターン目が巻き終わり、次のターンの巻回が始まった状態を示す。
【００２２】
各層の最後の列の巻線部分Ｌ（ｉ；４；ｋ）は、該層の他の列の巻線部分（ｉ；ｍ；ｋ）（但し、ｍ＝２，３）とは異なる形態を採り、その上の層の最初の列の巻線部分Ｌ（ｉ＋１；１；ｋ）も、該上の層の他の列の巻線部分（ｉ＋１；ｍ；ｋ）（但し、ｍ＝２，３）とは異なる様相を呈する。
【００２３】
すなわち、例えば、第一層の四列目Ｌ（１；４；１）の最後の巻線部分すなわち４ターン目の最後の巻線部分Ｑ１ｆは、図１９の（ｃ）に加えてこれを拡大して示した図２０の（ａ）からわかるように、斜め渡り巻線部分ＰＲの形態ではなく、第一層の三列目Ｌ（１；３；１）の最後から四列目Ｌ（１；４；１）の最初に位置する斜め渡り巻線部分ＰＲに徐々に乗上げる漸進的乗上げ横方向巻線部分ＰＹＭ１の形態を採る。なお、第二層の一列目Ｌ（２；１；ｋ）の最初の巻線部分すなわち５ターン目の最初の巻線部分Ｑ２ｓは、典型的には、第一層の四列目Ｌ（１；４；１）の最初の巻線部分である横方向巻線部分ＰＹに丁度載るので、他の部分と同様である。
【００２４】
一方、第二層の一列目Ｌ（２；１；１）の最後の巻線部分すなわち５ターン目の最後の巻線部分は、図１９の（ｄ）に加えてそれが拡大して示された図２０の（ｂ）からわかるように、漸進的乗上げ横方向巻線部分ＰＹＭ１のうち前記斜め渡り巻線部分ＰＲへの乗上げを開始する乗上げ開始領域から前記斜め渡り巻線部分ＰＲに部分的に重なった漸進的乗上げ領域の上を斜めに横切る乗越え領域部分ＰＸ２を備え、延在端において、第一層の斜め渡り巻線部上に降りる乗上げ斜め渡り巻線部分ないし漸進的乗上げ斜め渡り巻線部分ＰＲＭ１の形態を採り、その延在端において、第一層の斜め渡り巻線部上において第二層の一列目の最初の巻線部分の側縁ＰＥ２に倣うように転向して、第二層の二列目の最初の巻線部分を形成する。
【００２５】
この多層整列巻コイル３０１においても、漸進的乗上げ横方向巻線部分ＰＹＭ１のうち、乗上げ斜め渡り巻線部分ＰＲＭ１が斜め方向横切りを完了する手前の乗越え領域部分ＰＸ２は、漸進的乗上げが進行して実際上第三層ＰＬ３に位置する。すなわち、乗上げ斜め渡り巻線部ＰＲＭ１のうち、斜め渡り巻線部ＰＲＭに乗上げている漸進的乗上げ横方向巻線部ＰＹＭ上に重なる乗越え領域ＰＸ２は、第二層よりもかなり高い位置に達する。一方、乗上げ斜め渡り巻線部分ＰＲＭ１のうち下側の層ＰＬ１に降りた部位は、丁度第二層ＰＬ２に位置する。その結果、乗上げ斜め渡り巻線部分ＰＲＭ１と第二列の横方向巻線部分ＰＹとの転向部ＰＴＣ２の手前側に生じた乗越え領域ＰＸ２には、横断面ＰＶでみて矩形ＰＳの外向きＰＪに突出した突出部ＰＨ２が形成される。すなわち、図２１の（ａ）の側面図に示したように、転向部ＰＴＣ２の手前側の領域ＰＸ２が突出部ＰＨ２として矩形ＰＳの外向きＰＪに多少突出してしまうのを避け難い。なお、図２１の（ｂ）は図２０の（ｂ）と同様な斜視図である。
【００２６】
同様なことは、例えば、第三層の第一列（９ターン目）の最後の巻線部分から第二列（１０ターン目）の最初の巻線部分のところで生じる。但し、この突出部は、コイル３０１の長手方向に関して、反対側の端部近傍に位置する。
【００２７】
更に、図１９の（ｇ）及び（ｈ）並びにこれらを拡大して示した図２２の（ａ）及び（ｂ）からわかるように、第四層の第一列（１３ターン目）の最後の巻線部分から第二列（１４ターン目）の最初の巻線部分のところでも、同様な現象が生じる。
【００２８】
すなわち、第三層の四列目Ｌ（３；４；１）の最後の巻線部分すなわち１２ターン目の最後の巻線部分Ｑ３ｆは、図１９の（ｇ）及び図２２の（ａ）からわかるように、斜め渡り巻線部分ＰＲの形態ではなく、第三層の三列目Ｌ（３；３；１）の最後から第四列目の最初に位置する斜め渡り巻線部分ＰＲに徐々に乗上げる漸進的乗上げ横方向巻線部分ＰＹＭ３の形態を採る。また、第四層の一列目Ｌ（４；１；１）の最後の巻線部分すなわち１３ターン目の最後の巻線部分は、図１９の（ｈ）及び図２３の（ｂ）からわかるように、漸進的乗上げ横方向巻線部分ＰＹＭ３のうち斜め渡り巻線部分ＰＲへの乗上げを開始する領域から斜め渡り巻線部分ＰＲに部分的に重なった漸進的乗上げ領域の上を斜めに横切る乗越え領域部分ＰＸ４を備え、延在端において第三層の斜め渡り巻線部分上に降りる乗上げ斜め渡り巻線部分ＰＲＭ３の形態を採り、その延在端において、第三層の斜め渡り巻線部分上で第四層の一列目の最初の巻線部分の側縁ＰＥ４に倣うように転向して、第四層の二列目の最初の巻線部分を形成する。
【００２９】
この場合も、漸進的乗上げ横方向巻線部分ＰＹＭ３のうち、乗上げ斜め渡り巻線部分ＰＲＭ３が斜め方向横切りを完了する部位の手前の乗越え領域ＰＸ４は、漸進的乗上げが進行して実際上第五層ＰＬ５に達する。すなわち、乗上げ斜め渡り巻線部分ＰＲＭ３のうち、斜め渡り巻線部ＰＲ上に載った漸進的乗上げ横方向巻線部分ＰＹＭ３の上に重なる乗越え領域ＰＸ４は、第四層よりも高く、実際上第五層に達している。一方、乗上げ斜め渡り巻線部分ＰＲＭ３のうち下側の層ＰＬ３に降りた部位は、丁度第四層ＰＬ４に位置する。その結果、乗上げ斜め渡り巻線部分ＰＲＭ３と第二列の横方向巻線部分ＰＹとの転向部ＰＴＣ４の手前側において重なった乗越え領域ＰＸ４には、横断面ＰＶでみて外向きＰＪに突出した突出部ＰＨが形成され、図２３の（ａ）の側面図に示したように、領域ＰＸ４の外表面が突出部ＰＨ４として外向きＰＪに突出する。
【００３０】
この第四層の突出部ＰＨ４のある乗越え領域ＰＸ４は、図２１の（ａ）等にも示した第二層の突出部ＰＨ２のある乗越え領域ＰＸ２に実際上丁度重なる。その結果、当該重なりのある乗越え領域部分ＰＸ４が、矩形ＰＳの外向きＪに更に大きく突出する。
【００３１】
従って、多層整列巻コイルの形状の角形ＰＳからのズレが大きくなる。その結果、多層整列巻コイル３０１が多層であればあるほど、この突出による乱れが大きくなり、場合よっては、コイル３０１が実際上整列巻きできなくなる虞れがある。また、多層整列巻コイル３０１の形状の崩れ（整列巻き不能化）まで行かなくても、巻線の密度が低下して占積率が低下し、また、限られた断面積領域に配設可能な所定巻数の多層整列巻コイルが形成され難くなる虞れがある。
【特許文献１】特開２００１−１９６２３８号公報
【発明の開示】
【発明が解決しようとする課題】
【００３２】
本発明は、前記した点に鑑みなされたものであり、その目的とするところは、幅広線が安定に且つ高い占積率で多層に整列巻きされ得る多層整列巻コイルを提供することにある。
【課題を解決するための手段】
【００３３】
本発明の筒状多層巻線コイルは、前記目的を達成すべく、幅広線からなる巻線を筒状に多層に整列巻きしてなり、各層が、筒の長手方向軸線に対して実質的に垂直な横断面によって規定される無端リングのうち一部の連続的な角度領域において該横断面に沿う方向に対して斜めに延在する斜め渡り巻線部分と、無端リングのうち別の一部の角度領域において前記横断面に沿うように横方向に延在する横方向巻線部分とを有し（以上の構成を以下では、「構成１」ともいう）、且つ
次の条件（１）及び（２）を満たす連続的に重なる二層を複数対備えた多層整列巻コイルであって、
（１）前記二層のうち下側の層の最終列の斜め渡り巻線部分に徐々に乗上げて該下側の層からその一つ上に位置する上側の層に達する漸進的乗上げ横方向巻線部分を備えた第一の横方向巻線部分からなる第一列の巻線部、及び
（２）前記漸進的乗上げ横方向巻線部分のうち前記斜め渡り巻線部分への乗上げを開始する乗上げ開始領域から前記斜め渡り巻線部分に少なくとも部分的に重なった漸進的乗上げ領域の上を斜めに横切るように延在し、延在端において前記下側の層の斜め渡り巻線部分上に降りる乗上げ斜め渡り巻線部分を備えた第二列の巻線部を有し（以上の構成を以下では、「構成２」ともいう）、
更に、前記複数対の前記二層のうち少なくとも二対の前記二層の第二列の巻線部の前記乗上げ斜め渡り巻線部分につき、前記漸進的乗上げ横方向巻線部分の前記漸進的乗上げ領域の上を斜めに横切る乗越え領域部分が、前記無端リングの角度領域に関して相互に異なる角度領域に位置する（この構成を、以下では、「構成３」ともいう）。
【００３４】
本発明の多層整列巻コイルでは、構成１及び構成２を有するので、層間の間隙が最低限に抑えられた状態で、高い占積率を有し得る。また、本発明の筒状多層巻線コイルでは、構成１及び構成２を有することにより、漸進的乗上げ横方向巻線部分のうち斜め渡り巻線部分への乗上げを開始する乗上げ開始領域から前記斜め渡り巻線部分に少なくとも部分的に重なった漸進的乗上げ領域の上を斜めに横切るように延在し、延在端において前記下側の層の斜め渡り巻線部分上に降りる乗上げ斜め渡り巻線部分のうち、漸進的乗上げ横方向巻線部分の漸進的乗上げ領域の上を斜めに横切る乗越え領域部分が、外向きに突出する突出部になるけれども、本発明の筒状多層巻線コイルでは、「前記複数対の前記二層のうち少なくとも二対の前記二層の第二列の巻線部の前記乗上げ斜め渡り巻線部分につき、前記漸進的乗上げ横方向巻線部分の前記漸進的乗上げ領域の上を斜めに横切る乗越え領域部分が、前記無端リングの角度領域に関して相互に異なる角度領域に位置する」構成３を有するので、乗越え領域部分に位置する前記突出部が異なる角度領域に分散され得るから、コイルの特定の箇所だけに突出部が重なる虞れが少ない。従って、コイルの特定の箇所だけが突出して限られたスペースへのコイルの配設が妨げられる事態が生じる虞れが少ないので、限られたスペースに対しても該スペースを最大限効率的に利用して、予定通りの性能のコイルが配設され得る。また、コイルの特定の箇所に突出部が重なって多層の巻上げの際に整列巻を行い難くなる虞れが少ない。その結果、多層整列巻コイルが確実に形成され得る。従って、総合的に、多層整列巻コイルが高い占積率で形成され得る。
【００３５】
以上において、乗越え領域部分に突出部が形成され、それ以外の部分では、実際上突出部の形成が避けられ得るのは、巻線が、幅広線からなるためである。ここで、幅広線とは、この明細書の導入部分で定義したように、幅が厚さよりも大きい線であって、巻線の幅方向中央部に厚さが実質的に一定の領域があるものをいう。注意されるべきは、巻線が、横断面が円形のいわゆる丸線からなる場合、「巻線の幅方向中央部に厚さが実質的に一定の領域」がないので、丸線が交差する全ての部分で小さい突出部が生じ（丸線が下層にある二本の丸線部の間の窪んだ領域にある通常の整列状態から下層の丸線に交差するように該丸線を乗越える場合の突出量は、丸線の半径の（２−３１／２）倍程度で幅広線の場合に線の厚さ分だけの突出が生じるのと比較して突出量が小さい）、ここで説明したような突出部の分散化は実際上できない。
【００３６】
なお、幅広線は、典型的には、平角線からなる。平角線は、理想的には、横断面が長方形状である。但し、実際には、横断面でみて短辺近傍部分が多少なりとも外に凸に湾曲した長円形状になっていていもよい。また、平角線は、理想的には、側縁部が中心軸線に平行であるけれども、実際には、多少なりとも蛇行していてもよい。
【００３７】
本発明の一つの典型的な多層整列巻コイルでは、前記少なくとも二対の前記二層のうち最も下側に位置する対の下側の層の斜め渡り巻線部の前記横断面に対する傾斜よりも、該前記少なくとも二対の前記二層のうちより上側に位置する対の下側の層の斜め渡り巻線部の前記横断面に対する傾斜の方が小さい。
【００３８】
以上のように、横断面に対する傾斜が小さい斜め渡り巻線部を、以下では、「準斜め渡り巻線部」ともいう。この準斜め渡り巻線部は、前記のように漸進的乗上げ横方向巻線部分及び乗上げ斜め渡り巻線部分を、前記無端リングの角度領域に関して、下側の層とは異なる角度領域に形成するために、形成される。すなわち、準斜め渡り巻線部を、異なる角度領域に形成することにより、占積率の低下を最低限に抑えた状態で、突出部が分散され得る。なお、準斜め渡り巻線部を異なる角度領域に形成することは、巻線のターン数を多少少なくすることになるけれども、占積率の低下を最低限に抑えつつ安定な整列巻を可能にすることから、全体として、所定の形状の体積領域を占めるコイルのターン数を最大限に高めることを可能にする。
【００３９】
本発明の一つの典型的な多層整列巻コイルでは、前記複数対の前記二層のうち三対以上の前記二層の第二列巻線部の前記乗上げ斜め渡り巻線部分の前記乗越え領域部分が、前記無端リングの角度領域に関して相互に異なる角度領域に位置する。
【００４０】
この場合、突出部が、三つ以上の角度領域に分散され得るので、コイルの一つの角度領域のみが過度に突出されるのを抑制し易く、コイルの整列巻が容易になり、結果的に、占積率の低下を最低限に抑え得る。
【００４１】
本発明の別の一つの典型的な多層整列巻コイルでは、前記複数対の前記第二層のうち連続する少なくとも二対の前記二層の第二列巻線部の前記乗上げ斜め渡り巻線部分の前記乗越え領域部分が、前記無端リングの角度領域に関して、同一の角度領域に位置する。
【００４２】
例えば、コイルの横断面が、長方形や長円形などのように長い辺と短い辺（曲線部分を含む）とを有する場合、コイルの配設領域に特別な制約がない限り、乗越え領域部分は、その配置が容易な長い辺に集中される。
【００４３】
ここで、本発明の一つの典型的な多層整列巻コイルでは、前記複数対の前記第二層のうち連続する二対の前記二層の第二列巻線部の前記乗上げ斜め渡り巻線部分の前記乗越え領域部分が、前記無端リングの角度領域に関して、同一の角度領域に位置する。
【００４４】
この場合、占積率の低下を最低限に抑えることが可能になる。すなわち、前記乗越え領域部分を異なる角度領域に分散させることは、不可避的に占積率の多少の低下を伴うので、前記乗越え領域が重なることによる突出部の突出が整列巻の困難化に至らない範囲内では、コイルの外形形状の乱れが実際上許容される限度内で、占積率の最大化ないしターン数の最大化のためには、同一の角度領域を用いることが好ましい場合も、少なくない。なお、当然ながら、整列巻の困難化やコイルの外形形状の過度の乱れを避けるために、前記乗越え領域は、部分的には、異なる角度領域に分散される。
【００４５】
本発明の一つの典型的な多層整列巻コイルでは、前記無端リングが曲率の異なる複数の曲率部分を有し、前記複数の前記乗上げ斜め渡り巻線部分の前記乗越え領域部分のうち少なくとも一つの前記乗越え領域部分が、前記複数の曲率部分のうち曲率の小さい小曲率部分（例えば、横断面が長方形や長円形のコイルの長辺）である。前記小曲率部分は、その曲率が実質的にゼロの部分であってもよい。
【００４６】
この場合、乗越え領域部分の配置が容易であり、突出部による突出が、コイルの外形形状を乱す程度が比較的少なく、且つ整列巻が困難になる虞れが少ない。
【００４７】
但し、所望ならば、本発明の一つの典型的な筒状多層巻線コイルにおいて、前記無端リングが曲率の異なる複数の曲率部分を有し、前記複数の前記乗上げ斜め渡り巻線部分の前記乗越え領域部分のうち少なくとも一つの前記乗越え領域部分が、前記複数の曲率部分のうち曲率の大きい大曲率部分であってもよい。
【００４８】
本発明の一実施の形態の多層整列巻コイルでは、前記無端リングが実質的に矩形又は長円形である。但し、前記無端リングの形状（コイルの横断面形状）は、正方形や三角形や円形であってもよい。なお、無端リングが、三角形や多角形の場合、典型的には、角部には、多少の丸みが付与される。
【００４９】
本発明の一つの典型的な多層整列巻コイルでは、前記第二列の巻線部が、前記乗上げ斜め渡り巻線部分の前記延在端において転向して横方向巻線部分の第二列側の側縁に沿って前記横方向に前記下側の層の斜め渡り巻線部分上を延在する第二の横方向巻線部分を備える。
【００５０】
この場合、コイルの巻線を同様なパターンで巻回することにより、多層整列巻コイルが形成され得る。
【発明を実施するための最良の形態】
【００５１】
本発明の好ましい一実施の形態の多層整列巻コイルを図１から図４に示した好ましい一実施例に基づいて説明する。
【実施例】
【００５２】
多層整列巻コイルとしての多層整列巻角形コイルないし角筒状多層整列巻コイル１は、例えば、図８の（ａ）から（ｄ）（（ａ）〜（ｄ）の相互の際については後述する）や図１２の（ａ）及び（ｂ）に示したような形態を有する。この角筒状多層整列巻コイル１は、幅広線としての平角線Ｄを、多層多列に整列巻きしてなる。図１２の（ａ）及び（ｂ）に示した多層整列巻コイル１は、平角線Ｄを、約１５列６層に巻いてなるもので、約９０ターンの巻数を有する（本発明の多層整列巻コイルでは、後で詳しく例示するように、厳密には、層により列数が異なる）。一方、図８の（ａ）から（ｄ）の多層整列巻コイル１は、巻線Ｄを１０層に積層してなり、列数は、図では示されていない。
【００５３】
多層整列巻コイル１の列数は１５列程度より多くてもより少なくてもよく、多層整列巻コイル１の積層数も６層より多くてもより少なくてもよい。多層整列巻コイル１の横断面形状は、この例では、矩形のうち長方形であるけれども、例えば、図１１の（ａ），（ｂ），（ｃ）に示したように、円形や、三角形や長円形等他の形状でもよい。多層整列巻コイル１の横断面形状が三角形や矩形等の多角形である場合、断線の虞れなく巻線Ｄが巻回されるように、典型的には、頂点に対応する隅部（角部）は、多少なりとも丸みを有する。但し、以下では、図示や説明の便宜上、必要がない限り、単純な角部を有するとして説明する。
【００５４】
多層整列巻コイルに関して、筒状とは、巻線により形成される形状が筒（中空の棒）の形態であることをいう。筒は、その横断面の最大サイズ（いわゆる長径等の長さ）が筒の長さと同程度でも、該長さよりも大きくても小さくてもよい。コイルの筒の内側に、巻線を支える芯体ないしボビンの如き支持体があっても、なくてもよい。芯体ないしボビンの如き支持体がある場合、その支持体が、中空であっても中実であってもよい。芯体がある場合、該芯体は、磁性材料でも非磁性材料でもよい。また、多層整列巻コイル１の両端面又は一方の端面を支えるフランジ状支持部が設けられていても、いなくてもよい。
【００５５】
多層整列巻コイル１を構成する平角線Ｄは、典型的には、図１０の（ａ）に示したように、長方形の横断面形状を有し、長方形の長辺が巻線Ｄの幅Ｄａを与え、短辺が巻線Ｄの厚さＤｂを与える。ここで、平角線は、絶縁被覆された銅線からなる。但し、銅の代わりに他の導線でもよい。平角線Ｄの幅Ｄａ及び厚さＤｂは、夫々、典型的には、０．０５〜０．２ｍｍ程度及び０．０２〜０．０５ｍｍ程度である。アスペクト比Ｄａ／Ｄｂは、通常には、２〜５の範囲内にあり、典型的には、３程度である。但し、Ｄａ＞Ｄｂである限り、幅Ｄａが０．２ｍｍ程度より大きくても０．０５ｍｍ程度より小さくてもよく、厚さＤｂが０．０５ｍｍ程度より大きくても０．０２ｍｍ程度より小さくてもよく、比Ｄａ／Ｄｂが５より大きくても２より小さくてもよい。なお、以下では、特に断わらない限り、平角線は理想的な長方形の横断面形状を有するとして説明する。但し、実際の平角線Ｄの横断面形状は、多くの場合、図１０の（ａ）に示したような理想的な長方形というよりもむしろ図１０の（ｃ）や（ｅ）に示したように幅方向両端部（両側縁部）Ｄｃ，Ｄｃが多少なりとも丸みのある長円形状である。側縁部Ｄｃは、ここでは、半円形状又はそれに近い形状で示されているけれども、実際には多かれ少なかれもっと歪な形状になることもある。また、実際の平角線Ｄの側縁Ｄｃは、多くの場合、図１０の（ｂ）に示したような幅Ｄａが一定の理想的な直線状であるよりもむしろ、図１０の（ｄ）や（ｆ）では誇張して示したように、側縁Ｄｃが直線からずれて多少なりとも蛇行し、また幅Ｄａが一定ではなくて多かれ少なかれ変動している。また、平角線Ｄの中心が直線状に延在している場合でも、該平角線Ｄを構成する二つの幅広の主面Ｄｄも、図１０の（ａ）に示したような理想的な平面状ではなくて、図１０の（ｃ）に示したように、うねった表面を有し得る。また、図１０の（ｅ）に示したように、主面Ｄｄが円弧状側縁Ｄｃを直線状に切断したような形態をとることもある。従って、この明細書で平角線Ｄというときは、このような多少は歪んだ形状の線Ｄを含む趣旨である。
【００５６】
また、上述のように、平角線Ｄの側縁Ｄｃが多少なりとも蛇行していたり、幅Ｄａ自体が多少変動していたり、側縁部ＤＣの近傍が長円形の弧状のように湾曲していることから、厳密には、多層整列巻コイル１を形成する隣接列の巻線部分の側縁は相互に密接しているわけではなく、部分的に当接していたり、間に狭い間隙がある状態で対向した状態で延びている。すなわち、以下では、説明の簡明化のために、隣接巻線部分が同一の層内で平行に延在する場合には、相互に密接しているとして、説明するけれども、隣接する巻線部分の間には、多少の間隙が存在し得る。この間隙の大きさは、典型的には、巻線Ｄの幅Ｄａの数％以下である。
【００５７】
次に、平角線Ｄにより、角筒状の多層整列巻コイル１を形成する例について、図１の（ａ）〜（ｄ）、図２の（ａ）〜（ｄ）及び図３の（ａ）〜（ｄ）に基づいて、説明する。なお、図１〜図３においては、説明の簡明化のために、多層整列巻コイル１は、４列からなるとする。また、多層整列巻コイル１の巻上げ（積層）については、四層目の途中までを詳しく説明する。それ以上の積層は、繰返しになるので、省く。
【００５８】
多層整列巻コイル１の巻線Ｄは、図１の（ａ）に示したような仮想的巻芯本体１０ａのまわりに巻回されるものとする。巻芯本体１０ａは、直方体の形態で、その横断面が正方形である。すなわち、巻芯本体１０ａの横断面は、４つの辺Ｓ１，Ｓ２，Ｓ３，Ｓ４を有し、これらの辺Ｓ１，Ｓ２，Ｓ３，Ｓ４により正方形状無端リングＳが形成されている。正方形無端リングＳの各辺の長さは、Ｓａである。巻芯本体１０ａの長さはＳｂであり、巻線Ｄの幅Ｄａの整数倍（一層当りの最大ターン数ないし列数に対応）よりも少し大きい。巻芯本体１０ａの正方形横断面Ｓの重心を通り、該正方形面に垂直に延びる中心軸線をＣとする。この中心軸線Ｃは、多層整列巻コイル１の中心軸線Ｃに一致する。正方形Ｓの頂点に相当する角部を、夫々、Ｋ１，Ｋ２，Ｋ３，Ｋ４とする。なお、実際には、角部Ｋ１，Ｋ２，Ｋ３，Ｋ４は、例えば、丸く面取りされている。
【００５９】
巻芯本体１０ａの一方の端面１１には、想像線１３で示したように、該端面１１と実質的に面一に外方に拡がったフランジ状支持面１３がある。巻芯本体１０ａの他方の端面１２の側には、該端面１２と平行に外方に拡がったフランジ状支持面１４がある。巻芯１０の辺Ｓ１，Ｓ２，Ｓ３，Ｓ４の夫々に対応する巻芯１０の側面を、夫々、符号Ｐ１，Ｐ２，Ｐ３，Ｐ４で表す。
【００６０】
以下において、平角線Ｄの巻線部分のうち、中心軸線Ｃに垂直な面（端面１１，１２に平行な面）内で延びる部分すなわち横方向Ｆに延びる部分を、横方向巻線部Ｙという。また、平角線Ｄの巻線部分のうち、中心軸線Ｃに垂直な面（端面１１，１２に平行な面）に対して斜め方向（交差する方向）Ｂに延びる部分を、斜め渡り巻線部Ｒという。横方向巻線部Ｙは、特定の列内で延びる巻線部分であり、斜め渡り巻線部Ｒは、ある列からそれに隣接する列に移行する巻線部分である。また、巻線部分のうち、多層整列巻コイル１のある層からその上の層に移行する巻線部分を乗上げ巻線部分といい、当該巻線部分には、符号Ｍを付す（図１の（ｃ）等参照）。この乗上げ巻線部分Ｍは、多層整列巻コイルのある層からその上の層に移行する巻線部分である。
【００６１】
以下の説明において、多層整列巻コイル１の各巻線部分をＬ（ｉ；ｊ；ｋ）（但し、図１の（ａ）〜（ｄ）、図２の（ａ）〜（ｄ）及び図３の（ａ）〜（ｄ）に示した例では、ｉ＝１，２，３，４；ｊ＝１，２，３，４；ｋ＝１，２，３，４）で示す。但し、図面の簡明化のために、多層整列巻コイル１の巻線部について、上記表記Ｌ（ｉ；ｊ；ｋ）は、図面には原則として記載しない。ここで、ｉは層を表し（例えば、ｉ＝１は第一層（最下層））、ｊは列を表し（例えば、ｊ＝１は第一列（奇数番目の層では端面１１側に位置する右端の列、偶数番目の層では端面１２側に位置する左端の列）、ｊ＝４は第四列（最終列））、ｋは四辺を表す（ｋ＝１は第一辺）。なお、多層整列巻コイル１の巻線部分について、列の移行や層の移行を伴う巻線部分、即ち、斜め渡り巻線部分Ｒや乗上げ巻線部分Ｍをも表す必要がある場合は、多層整列巻コイル１の巻線部分を、Ｌ（ｉ１，ｉ２；ｊ１，ｊ２；ｋ１，ｋ２）で表す。ここで、ｊ１は斜め渡り部分Ｒの始点の属する列、ｊ２は斜め渡り部分Ｒの終点の属する列を表し、ｋ１＝ｋで、ｋ２は、斜め渡り巻線部Ｒでは５、横方向巻線部Ｆでは６とする。また、ｉ１は乗上げ前の層を表し、ｉ２は乗上げ後の層を表す。なお、乗上げが生じない巻線部分では、ｉ１とｉ２を区別する必要がないことから、両者を区別することなく、ｉで表し、Ｌ（ｉ；ｊ１，ｊ２；ｋ１，ｋ２）とも表記する。また、横方向巻線部Ｆのみについて言及する場合、列の移行がないので、ｊ１とｊ２とを区別せず、単に、Ｌ（ｉ１，ｉ２；ｊ；ｋ１，ｋ２）若しくはＬ（ｉ１，ｉ２；ｊ；ｋ）、又はＬ（ｉ；ｊ；ｋ１，ｋ２）若しくはＬ（ｉ；ｊ；ｋ）で表す。
【００６２】
次に、巻芯１０への平角線Ｄの巻回による多層整列巻コイル１の形成について詳しく説明する。但し、そのような多層整列巻コイル１の形成を可能にする巻機については、後で別に説明する。
【００６３】
まず、図１の（ａ）に示したように、フランジ状支持面１３の外側（図１の（ａ）では右側）にある把持部（図示せず）で、平角線Ｄの先端部Ｄｔを巻芯１０の端面１１に対して斜め方向Ｂに掴んでおく（後で説明する図１６の（ｂ）等）。次に、第一辺Ｓ１のある側面Ｐ１の途中で平角線Ｄをフランジ状支持面１３に沿うように幅方向に転向させる。これにより、第一層のうち第一列の第一側面Ｐ１（第一辺Ｓ１）に、斜め渡り巻線部Ｒと、横方向巻線部Ｙとが形成され、斜め渡り巻線部Ｒと横方向巻線部Ｙとの境界に転向部Ｔ（ここでは、Ｔ１）が形成される。上記の表記で表せば、斜め渡り巻線部Ｒは、例えば、Ｌ（１；０，１；１，５）であり、横方向巻線部Ｙは、例えば、Ｌ（１；１；１，６）又はＬ（１；１；１）である。
【００６４】
次に、図１の（ｂ）からわかるように、平角線Ｄを、巻芯１０の無端リングＳの他の辺Ｓ２，Ｓ３，Ｓ４即ち側面Ｐ２，Ｐ３，Ｐ４に沿って巻付ける。これにより、側面Ｐ２，Ｐ３，Ｐ４に第一列の横方向巻線部Ｙ，Ｙ，Ｙが形成される。各横方向巻線部Ｙ，Ｙ，Ｙは、上記の表記で表せば、例えば、Ｌ（１；１；２），Ｌ（１；１；３），Ｌ（１；１；４）である。
【００６５】
なお、以上のような平角線Ｄの巻回に際しては、実際には、巻芯１０をその中心軸線Ｃのまわりで、Ｃ１方向に回転させる。但し、ここでは、巻芯１０に対して平角線Ｄがどのように巻かれるかを説明するために、主として巻芯１０を固定した座標系で平角線Ｄの巻き方を示し説明する。
【００６６】
次に、辺Ｓ１すなわち側面Ｐ１に戻って、一列目の角部Ｋ４から転向部Ｔ１の外側縁Ｔ１ｅに延びる斜め渡り巻線部ＲすなわちＬ（１；１，２；１，５）が形成される。更に、該転向部Ｔ１の外側縁Ｔ１ｅに沿って転向され側面Ｐ１の一列目の横方向巻線部Ｙの次列側側縁（ここでは二列目側側縁）に実際上密接してこれに平行に延びる横方向巻線部ＹすなわちＬ（１；２；１，６）が形成される。
【００６７】
更に、上記と同様にして、二列目の横方向巻線部Ｙ，Ｙ，Ｙが側面Ｐ２，Ｐ３，Ｐ４に形成される（但し、図１の（ｂ）では側面Ｐ２，Ｐ３の二列目の横方向巻線部Ｙ，Ｙは見えない、以下においても、図面で見えない部分を同様に表す）。その後、上記と同様にして、側面Ｐ１に二列目から三列目につながる斜め渡り巻線部Ｒ（Ｌ（１；２，３；１，５））及び三列目の横方向巻線部Ｙ（Ｌ（１；３；１，６））が形成される。同様にして、三列目の横方向巻線部Ｙ，Ｙ，Ｙが側面Ｐ２，Ｐ３，Ｐ４に形成され、更に、側面Ｐ１に三列目から四列目につながる斜め渡り巻線部Ｒ（Ｌ（１；３，４；１，５））及び四列目の横方向巻線部Ｙ（Ｌ（１；４；１，６））が形成される。ここで、四列目の横方向巻線部Ｙの左側縁は、巻芯本体１０ａの端面１２と丁度面一になる。逆にいえば、巻芯本体１０ａの長さＳｂは巻線Ｄの四本分の幅４Ｄｂに実質的に一致する。
【００６８】
次に、上記と同様にして、四列目の横方向巻線部Ｙ，Ｙ，Ｙが側面Ｐ２，Ｐ３，Ｐ４に形成される。
【００６９】
その後、図１の（ｃ）に示したように、角部Ｋ４から側面Ｐ１の全体に亙って横方向巻線部Ｙを形成する。この巻線部Ｙは、角部Ｋ４のところでは一層目にあり、その後、斜め渡り巻線部Ｒ（Ｌ（１；３，４；１，５））に徐々に乗上げて転向部Ｔの上まで至り該転向部Ｔ上で完全に二層目に移る漸進的乗上げ横方向巻線部分ＹＭ（Ｌ（１，２；４；１））と、第一層の四列目の横方向巻線部Ｙ（Ｌ（１；４；１，６））に重なって横方向に延びる二層目の一列目の横方向巻線部分Ｙ（Ｌ（２；１；１，６））とを有する。なお、第一層Ｌ１の四列目（最終列）に重なる第二層Ｌ２の部分は、一列目（最初の列）である。
【００７０】
図１〜図３では、図示の簡明化のために角部Ｋ１，Ｋ２，Ｋ３，Ｋ４が直角であるかのごとく示しているけれども、実際には、巻線Ｄの過度な折曲げを避けるべく、前述の通り、角部Ｋ１，Ｋ２，Ｋ３，Ｋ４は、図８の（ａ）に示した多層整列巻コイル１のように円弧状の丸みを有する。この円弧状の丸みは、例えば、曲率半径が０．３〜０．５ｍｍ程度の円弧である。また、巻芯１０の巻芯本体１０ａの長さＳｂは巻線Ｄの幅Ｄｂの列数倍よりも少し大きく且つ巻線部Ｙの漸進的乗上げ横方向巻線部分ＹＭ（Ｌ（１，２；４；１））は、その左側縁がフランジ状支持面１４に沿うように巻芯１０に巻回され得るから、丸みのある角部Ｋ４をまわった後、斜め渡り巻線部Ｒ（Ｌ（１；３，４；１，５））に徐々に乗上げる。換言すれば、漸進的乗上げ横方向巻線部分ＹＭ（Ｌ（１，２；４；１））のうち、丸みのある角部Ｋ４をまわった直後の部位は、典型的には、第一層にあるか該第一層と同視され得る高さ位置にあり、実際上、斜め渡り巻線部Ｒ（Ｌ（１；３，４；１，５））への乗上げは始まっていない。
【００７１】
また、平角線Ｄは、理想的には、図１０の（ａ）に示したようにその横断面が長方形である。しかしながら、丸線（横断面が実際上円形の線）を圧延により押し潰して平坦な形状（幅広線の形態）にした平角線では、その横断面形状は、典型的には、図１０の（ｃ）又は（ｅ）に示し且つ前述したように、長円形またはそれに近い形状である。従って、幅方向端縁部すなわち平角線Ｄの側縁部Ｄｃは、多少なりとも円弧状に湾曲した外表面を備え、幅方向の両端Ｄｃ，Ｄｃに近付く程厚さが薄い。従って、斜め渡り巻線部Ｒ（Ｌ（１；３，４；１，５））に対して漸進的乗上げ横方向巻線部分ＹＭが徐々に乗上げる場合、漸進的乗上げ横方向巻線部分ＹＭは、乗上げが開始されると直ちに一層目から二層目に移るわけではなく、漸進的乗上げ横方向巻線部分ＹＭの円弧状の側縁部Ｄｃが斜め渡り巻線部Ｒ（Ｌ（１；３，４；１，５））の円弧状側縁部Ｄｃに徐々に乗上げることにより、1層目から二層目に徐々に上っていく。但し、所望ならば、平角線Ｄは図１０の（ａ）に示したような理想的長方形断面を備えていてもよく、その場合でも、漸進的乗上げ横方向巻線部分ＹＭが斜め渡り巻線部Ｒに対して斜めに乗上げるので、全体的にみれば、多かれ少なかれ、漸進的乗上げ横方向巻線部分ＹＭは一層目から二層目に徐々に高くなる。
【００７２】
次に、上記と同様にして、図１の（ｄ）等に示したように、第二層の一列目の横方向巻線部Ｙ，Ｙ，Ｙが側面Ｐ２，Ｐ３，Ｐ４に形成される。
【００７３】
次に、図１の（ｄ）及びそれを拡大した図４の（ｂ）に示したように、一列目の角部Ｋ４を回った後、辺Ｓ１すなわち側面Ｐ１に戻って、漸進的乗上げ横方向巻線部分ＹＭ（Ｌ（１，２；４；１））の外表面上を斜めに横切るように延在し一層目の三番目の転向部Ｔの付近においてまで達し一層目の巻線部Ｌ１上に降りる乗上げ斜め渡り巻線部ないし漸進的乗上げ斜め渡り巻線部ＲＭ（Ｌ（２；１，２；１；５））、及び該乗上げ斜め渡り巻線部ＲＭの延在端において転向されて二層目の一列目の横方向巻線部分Ｙ（Ｌ（２；１；１，６））の側縁に沿って一層目の横方向巻線部Ｙ上を横方向Ｆに延びる二層目の二列目の横方向巻線部分Ｙ（Ｌ（２；２；１，６））とが、形成される。
【００７４】
ここで、乗上げ斜め渡り巻線部ＲＭ（Ｌ（２；１，２；１，５））と横方向巻線部分Ｙ（Ｌ（２；２；１，６））との境界に形成される転向部ＴＣ２は、典型的には、一層目の転向部Ｔの真上に位置する。但し、転向部ＴＣ２は、転向部Ｔよりも角部Ｋ４に近いところに位置していても、転向部Ｔよりも角部Ｋ１に近いところに位置していてもよい。
【００７５】
なお、平角線Ｄの転向部Ｔの形成に際しては、図４の（ｂ）に示したとおり、想像線Ｄｉで示したように、巻線Ｄを、一旦、乗上げ斜め渡り巻線部ＲＭ（Ｌ（２；１，２；１，５））の延在方向Ｂよりも端面１１側に引っ張って斜めに延在させておき、巻線Ｄｉを張力下でＥ１方向に揺動させ、漸進的乗上げ横方向巻線部分ＹＭ（Ｌ（１，２；４；１））及び横方向巻線部分Ｙ（Ｌ（２；１；１，６））の側縁にぶつけることにより、転向部ＴＣ２を形成する。巻線Ｄの巻回の際には、実際には、図１４及び図１５を参照して後述するように、巻芯１０をＣ１方向に回転させながら又はＣ１方向の所定の回転位置にしておいて、トラバース機構４０（図１５参照）により巻線Ｄの延在部分をＥ１方向に揺動させることにより、上記の転向を行わせ、巻線Ｄの所望のスタイル取りを行う。
【００７６】
図７の（ａ）の一部拡大平面説明図に示したように、この平角線Ｄの多層整列巻コイル１において、乗上げ斜め渡り巻線部ＲＭ（Ｌ（２；１，２；１，５））は、漸進的乗上げ横方向巻線部分ＹＭ（Ｌ（１，２；４；１））のうち斜め渡り巻線部Ｒ（Ｌ（１；３，４；１，５））への乗上げを開始する乗上げ開始領域ＹＡ２から斜め渡り巻線部Ｒ（Ｌ（１；３，４；１，５））に部分的に重なった漸進的乗上げ領域ＹＢ２の上を斜めに横切るように延在する。漸進的乗上げ横方向巻線部分ＹＭ（Ｌ（１，２；４；１））のうち、乗上げ斜め渡り巻線部ＲＭ（Ｌ（２；１，２；１，５））が斜め方向横切りを完了する部位ＸＣ２は、漸進的乗上げが進行して実際上第三層Ｌ３に位置する。すなわち、乗上げ斜め渡り巻線部ＲＭ（Ｌ（２；１，２；１，５））のうち、斜め渡り巻線部Ｒ（Ｌ（１；３，４；１，５））の上に乗上げている漸進的乗上げ横方向巻線部分ＹＭ（Ｌ（１，２；４；１））上に重なる領域すなわち乗越え領域部分Ｘ２（図７の（ａ）において黒丸「●」を付した領域）は、第二層Ｌ２よりもかなり高い位置に達する。一方、乗上げ斜め渡り巻線部ＲＭ（Ｌ（２；１，２；１，５））のうち第一層（下側の層）Ｌ１に降りた部位は、丁度第二層（上側の層）Ｌ２と一致する高さ位置にある。その結果、図４の（ａ）に加えて図４の（ｂ）に示したように、乗上げ斜め渡り巻線部ＲＭ（Ｌ（２；１，２；１，５））と第二列の横方向巻線部Ｙ（Ｌ（２；２；１，６））との転向部ＴＣ２の手前側の乗越え領域Ｘ２には、横断面Ｖと平行な面でみて矩形Ｓの外向きＪに突出した突出部ないし突起部Ｈ２が不可避的に生じる。
【００７７】
なお、ここで、注意されるべきは、このような突出部ないし突起部Ｈ２は、平角線Ｄのようにほぼ一定の厚さＤｂの部分を幅方向の大半の領域に備える幅広線Ｄに特有のものであることである。すなわち、横断面が円形の丸線からなる巻線を巻回してなる多層整列巻コイルにおいて、レインボーラインと呼ばれる突出部の並びが生じることは、知られているけれども、このレインボーラインは、丸線が交差する際、その最大径部分の交差箇所に不可避的に生じるものであり、ここで生じる突出部Ｈとは、その原因ないし特性が全く異なる。すなわち、以下に、詳述するように、巻線が平角線のような幅広線Ｄの多層整列巻コイル１では、この突出Ｈに伴う多層整列巻コイル１の形状の乱れを分散させることが可能になるけれども、丸線の多層整列巻コイルでは、交差部以外においては、整列巻突出部の発生原因が異なるが故に、突出部ないし突起部Ｈの分散は行われ得ない。この差異が生じる前提として、幅広線Ｄの多層整列巻コイル１では、突出部Ｈ以外の部分では、通常は、下側の整列巻層を構成する巻線により形成される平面上に上側の整列巻層を構成する巻線が所望の向きに延びるのに対して、丸線の多層整列巻コイルでは、下側の整列巻層を構成する巻線のうち二つの隣接する巻線部分の間の窪んだ領域に上側の整列巻層を構成する巻線が下側の層の巻線と平行に延びる点で異なり、丸線の交差による突出量は丸線の半径の（２−３１／２）倍程度と小さい。
【００７８】
次に、図２の（ａ）に示したように、５ターン目の横方向巻線部Ｙ，Ｙ，Ｙ及び乗上げ斜め渡り巻線部ＲＭ（Ｌ（２；１，２；１，５））並びに６ターン目の最初の横方向巻線部分Ｙ（Ｌ（２；２；１，６））の側縁に倣うように、６ターン目の横方向巻線部Ｙ，Ｙ，Ｙ及び斜め渡り巻線部Ｒ（Ｌ（２；２，３；１，５））並びに７ターン目の最初の横方向巻線部分Ｙ（Ｌ（２；３；１，６））を形成し、更に、これらの側縁に倣うように、７ターン目の横方向巻線部Ｙ，Ｙ，Ｙ及び斜め渡り巻線部Ｒ（Ｌ（２；３，４；１；５））並びに８ターン目の最初の横方向巻線部分Ｙ（Ｌ（２；４；１，６））を形成する。巻線Ｄによるこれらの巻線部Ｙ，Ｒの形成プロセスは、巻線Ｄにより形成される巻線部Ｙ，Ｒの層が1層目から二層目に変り且つ巻線部Ｙ，Ｒが巻芯１０に対して端面１１側から端面１２側に向かってＺ１方向に形成される状態から巻芯１０に対して端面１２側から端面１２側に向かってＺ２方向に形成される状態に変った点を除き、図１の（ｂ）に示した巻線部Ｙ，Ｒの形成プロセスと実質的に同一である。
【００７９】
次に、図２の（ｂ）に示したように、８ターン目の横方向巻線部Ｙ，Ｙ，Ｙを側面Ｐ２，Ｐ３，Ｐ４上に形成した後、角部Ｋ４から側面Ｐ１の全体に亙って横方向巻線部Ｙを形成する。この横方向巻線部Ｙは、図１の（ｃ）に示した４ターン目の最後から５ターン目の最初の横方向巻線部Ｙと同様に、角部Ｋ４のところでは下側の層（この場合は二層目）にあり、その後、斜め渡り巻線部Ｒ（Ｌ（２；３，４；１，５））に徐々に乗上げて転向部Ｔの上まで至り該転向部Ｔ上で完全に上側の層（この場合は三層目）に移る漸進的乗上げ横方向巻線部分ＹＭ（Ｌ（２，３；４；１））と、下側の層（ここでは第二層）の四列目の横方向巻線部Ｙ（Ｌ（２；４；１，６））に重なって横方向に延びる上側の層（ここでは第三層）の一列目の横方向巻線部分Ｙ（Ｌ（３；１；１，６））とを有する。なお、第二層Ｌの四列目（最終列）に重なる第三層の部分は、一列目（最初の列）である。
【００８０】
この場合も、横方向巻線部Ｙのうち漸進的乗上げ横方向巻線部分ＹＭ（Ｌ（２，３；４；１））が、丸みのある角部Ｋ４をまわった後、斜め渡り巻線部Ｒ（Ｌ（２；３，４；１，５））に徐々に乗上げる点は前述の場合と同様である。
【００８１】
次に、図２の（ｃ）に示したように、上記と同様にして、第三層の一列目の横方向巻線部Ｙが側面Ｐ２に形成された後、角部Ｋ２に達する。なお、図２の（ｃ）は、図２の（ｂ）等とは異なり、側面Ｐ１を斜め下側からみる代わりに側面Ｐ３を斜め下側からみた斜視説明図になっている。
【００８２】
この多層整列巻コイル１では、この８．５ターン目（巻始めの位置が、側面Ｐ１の横方向の中間位置であると想定すると、８．３７５ターン目）から、図１９から図２３に示した従来のコイルとは全く異なる巻回が行われる。なお、図１の（ａ）〜（ｄ）並びに図２の（ａ）及び（ｂ）に関連して今まで説明した部分についても、大まかには従来のコイル３０１と同様であるけれども、従来とは異なる種々の内容を含む。
【００８３】
第三層において、角部Ｋ２に達した平角線Ｄは、図２の（ｃ）に示したように、側面Ｐ３において、斜め方向に延在する準斜め渡り巻線部Ｒａの形態を採る。この準斜め渡り巻線部Ｒａは、上記の表記では、Ｌ（３；１，１＋α；３，５）（但し、０＜＜α＜０．５）と表される状態にある。すなわち、準斜め渡り巻線部Ｒａは、斜め方向の傾斜の程度ないしシフト量（一つの側面の始点角部から終点角部に至る間における軸線Ｃの延在方向へのズレ量）αが今まで説明した斜め渡り巻線部Ｒよりも小さく、側面Ｐ３の始点である角部Ｋ２から終点である角部Ｋ３に達する間にＤｂ／２（平角線Ｄの幅Ｄｂの半分）よりも小さい長さだけ軸線Ｃの延在方向Ｚ１にずれる。
【００８４】
角部Ｋ３に達した平角線Ｄは、図５の（ａ）に示したように、側面Ｐ４において同様な準斜め渡り巻線部Ｒａ（Ｌ（３；１＋α，１＋２α；４，５））を形成した後、二列目の少し手前で角部Ｋ４に至る。平角線Ｄは、次に、図５の（ｂ）に示したように、側面Ｐ１において、９ターン目に入って準斜め渡り巻線部分Ｒａ（Ｌ（３；１＋２α，２；１，５））を形成した後、横方向巻線部分Ｙ（Ｌ（３；２；１，６））の形態を採る。なお、この準斜め渡り巻線部Ｒａは漸進的乗上げ横方向巻線部分ＹＭ（Ｌ（２，３；４；１））が実際上第二層に留まる程度の長さの範囲で該漸進的乗上げ横方向巻線部分ＹＭ（Ｌ（２，３；４；１））上の斜め方向横断（斜め渡り）を完了し、僅かに転向されて横方向巻線部分Ｙ（Ｌ（３；２；１，６））につながる。なお、横方向巻線部分Ｙ（Ｌ（３；２；１，６））は、該漸進的乗上げ横方向巻線部分ＹＭ（Ｌ（２，３；４；１））及び一列目の横方向巻線部分Ｙ（Ｌ（３；１；１，６））の側縁に沿って、横方向Ｆに延びる。角部Ｋ１に達した平角線Ｄは、図２の（ｄ）からわかるように、９．２５ターン目の側面Ｐ２においても横方向巻線部ＹＹ（Ｌ（３；２；２，６））の形態を採る。ここで生じる転向部Ｔ３は、転向部Ｔ１の場合と同様に、側面Ｐ１に対して平行な平面内で延在する。
【００８５】
更に、図２の（ｄ）からわかる通り、次に、上述のように、側面Ｐ３；Ｐ４；Ｐ１；Ｐ２にある８．５ターン目〜９．２５ターン目の巻線部分に沿って、９．５ターン目〜１０．２５ターン目の巻線部分Ｒａ；Ｒａ；Ｒａ，Ｙ；Ｙが、側面Ｐ３；Ｐ４；Ｐ１；Ｐ２に形成される。更に、図３の（ａ）からわかる通り、同様にして、１０．５ターン目〜１１．２５ターン目の巻線部分Ｒａ；Ｒａ；Ｒａ，Ｙ；Ｙが、側面Ｐ３；Ｐ４；Ｐ１；Ｐ２に形成される。
【００８６】
以上において、α＜０．５とするのは、側面Ｐ３，Ｐ４及び側面Ｐ１の始めの部分において準斜め渡り巻線部Ｒａ，Ｒａ，Ｒａの形態を採る巻線部Ｄが、９ターン目に入るより少し前の位置である角部Ｋ４において部分的に三層目の一列目に残るようにするためである。これにより、その前の角部Ｋ３において、部分的に三層目の一列目に残ることも確保される。また、シフト量α〜０．５（典型的には、０．４≦α＜０．５）とするのは、側面Ｐ３，Ｐ４及び側面Ｐ１の始めの部分において準斜め渡り巻線部Ｒａ，Ｒａ，Ｒａの形態を採った巻線部Ｄが、側面Ｐ１において、漸進的乗上げ横方向巻線部分ＹＭ（Ｌ（２，３；４；１））のうち実質的に乗上げが始まり二層目よりも上に巻かれた部分（三層目に近付いた部分）に重なるのを実際上避けるためである。
【００８７】
ここで選択するαの値は、突出部Ｈが形成される領域を、断面が矩形Ｓの場合に、側面Ｐ１から反対側の側面Ｐ３に移行させるためである。従って、矩形Ｓであっても、突出部を移行させる側面の相対位置が異なる場合には、αが採るべき値は異なる。また、横断面が矩形Ｓ以外でαが同様に定義可能である場合にも、αが採るべき値は異なる。
【００８８】
以上においては、準斜め渡り巻線部Ｒａが側面Ｐ３，Ｐ４，Ｐ１において同じように傾斜していることを前提にしているけれども、側面Ｐ３，Ｐ４，Ｐ１における傾斜は、異なっていてもよく、その場合、各側面Ｐ３，Ｐ４，Ｐ１におけるシフト量ないしズレ量αを夫々α３，α４，α１とすると、その総和（α３＋α４＋β・α１）（但し、例えば、β＝１／２）が１になればよい（ここでは、側面Ｐ１の半分のところまでの乗上げが許容される場合を想定している。場合によっては、β＜１／２としてもよい）。
【００８９】
なお、ここで、注意されるべきは、以上のような準斜め渡り巻線部Ｒａが第二層の巻線部分の上に積層される際に、突出部は実際上生じないことである。すなわち、多層整列巻コイル１では、巻線が平角線のような幅広線Ｄであるが故に、以下に説明するような突出部Ｈの形成側面ないし形成領域の移行が可能になる。これに対して、仮に、巻線が丸線である場合、丸線によって準斜め渡り巻線部を形成すると、該準斜め渡り巻線部が下側の第二層を形成している巻線部分と不可避的に交差し、該交差の生じる部位（最大径部が交差する部位）において不可避的に突出部が生じる。すなわち、丸線を巻いた多層整列巻コイルの場合、準斜め渡り巻線部を敢えて形成すると、単に突出部の位置がずれるだけでなく、余分の突出部ができてしまう。
【００９０】
１１．２５ターン目の巻線部分Ｙが、角部Ｋ２に達すると、図３の（ｂ）からわかるように、１１．５ターン目の横方向巻線部Ｙが側面Ｐ３に形成される。この１１．５ターン目の横方向巻線部Ｙは、図２の（ｄ）と同様な図３の（ａ）に示した準斜め渡り巻線部Ｒａ（Ｌ（３；３，３＋α；３，５））の前半部分に横方向に徐々に乗上げる漸進的乗上げ横方向巻線部ＹＭ（Ｌ（３，４；４；３，６））と、該準斜め渡り巻線部Ｒａ（Ｌ（３；３，３＋α；３，５））の後半部分の上を横方向に延びる四層目で一列目の横方向巻線部Ｙ（Ｌ（４；１；３））とからなる。但し、横方向巻線部Ｙは、この例では、角部Ｋ３において、準斜め渡り巻線部Ｒａ（Ｌ（３；３，３＋α；３，５））に対して（１−α）列だけＺ１方向にズレたところに位置する。なお、この漸進的乗上げ横方向巻線部ＹＭ（Ｌ（３，４；４；３，６））も前述のように、実際には、丸みのある角部Ｋ３に沿って回った後、角部Ｋ３の近傍では、準斜め渡り巻線部Ｒａ（Ｌ（３；３，３＋α；３，５））に重なることなく、実際上、二層目の巻線部の上に密接した三層目の巻線部を形成し、角部Ｋ３からある程度離れて初めて、準斜め渡り巻線部Ｒａ（Ｌ（３；３，３＋α；３，５））に乗上げ始める。
【００９１】
なお、以上からわかるように、この多層整列巻コイル１では、第一層及び第二層は、全ての側面において４列の巻線部分（４ターン分の巻線部分）を備えるのに対して、第三層は、実際上、二つ分の側面（側面Ｐ１の半分と、側面Ｐ２と、側面Ｐ３の半分）において４列の巻線部分があるけれども他の側面部分では３列の巻線部分があるだけで、全体として、３．５ターン分の巻線部分を備える。すなわち、第三層は、第一層及び第二層よりも０．５ターン分だけ少ない。多層整列巻コイル１では、この０．５ターン分を犠牲にして、巻線の輪郭形状の崩れ（一部分だけが過度に突出すること等）を抑え、典型的には、長方形等の規定された断面形状の空間に配設される多層整列巻コイル１のターン数を最大限高めることを可能にして、総合的にみて占積率を高くすることを可能にする。また、突出部が大きくなって整列巻ができなくなるのを避け得る。
【００９２】
次に、図３の（ｃ）からわかるように、四層目で一列目の横方向巻線部Ｙ（Ｌ（４；１；４）），Ｙ（Ｌ（４；１；１）），Ｙ（Ｌ（４；１；２））が側面Ｐ４，Ｐ１，Ｐ２に形成される。
【００９３】
この１１．５ターン目〜１２．２５ターン目の巻線部は、第三層から第四層に移った後第三層の一列目に形成される点を除き、図１の（ｄ）に示した４ターン目〜４．７５ターン目の巻線部（第一層から第二層に移った後で第二層の一列目に形成）と実質的に同じ形態を採る。
【００９４】
従って、図３の（ｃ）及び（ｄ）に示した次の巻線部すなわち１２．５ターン目の巻線部は、図１の（ｄ）並びに図４の（ｂ）及び（ａ）に示した５ターン目の巻線部と実際上同じ形態を採る。
【００９５】
すなわち、図３の（ｃ）及び（ｄ）及びそれらを拡大した図６の（ｂ）及び（ａ）に示したように、一列目の角部Ｋ２を回った後、辺Ｓ３すなわち側面Ｐ３に戻って、漸進的乗上げ横方向巻線部分ＹＭ（Ｌ（３，４；４；３，６））の外表面上を斜めに横切るように延在し三層目Ｌ３の巻線部上に降りる乗上げ斜め渡り巻線部ＲＭ（Ｌ（４；１，２；３，５））、及び該乗上げ斜め渡り巻線部ＲＭの延在端において転向されて四層目の一列目の横方向巻線部分Ｙ（Ｌ（４；１；３，６））の側縁に沿って横方向Ｆに延びる四層目の二列目の横方向巻線部分Ｙ（Ｌ（４；２；３，６））とが形成される。
【００９６】
ここで、乗上げ斜め渡り巻線部ＲＭ（Ｌ（４；１，２；３，５））と横方向巻線部分Ｙ（Ｌ（４；２；３，６））との境界に形成される転向部ＴＣ４は、典型的には、角部Ｋ２と角部Ｋ３との中間部に位置する。但し、角部Ｋ２よりも角部Ｋ３に近くても、角部Ｋ３よりも角部Ｋ２に近くてもよい。転向部ＴＣ４の形成の仕方は前述の転向部ＴＣ２の場合と同様である。
【００９７】
前述の場合と同様に、図７の（ｂ）の一部拡大平面説明図に示したように、この平角線Ｄの多層整列巻コイル１において、乗上げ斜め渡り巻線部ＲＭ（Ｌ（４；１，２；３，５））は、漸進的乗上げ横方向巻線部分ＹＭ（Ｌ（３，４；４；３，６））のうち準斜め渡り巻線部Ｒａ（Ｌ（３；３，３＋α；３，５））への乗上げを開始する乗上げ開始領域ＹＡ４から準斜め渡り巻線部Ｒａ（Ｌ（３；３，３＋α；３，５））に部分的に重なった漸進的乗上げ領域ＹＢ４の上を斜めに横切るように延在する。漸進的乗上げ横方向巻線部分ＹＭ（Ｌ（３，４；４；３，６））のうち、乗上げ斜め渡り巻線部ＲＭ（Ｌ（４；１，２；３，５））が斜め方向横切りを完了する部位ＸＣ４は、実際上第五層Ｌ５に位置する。乗上げ斜め渡り巻線部ＲＭ（Ｌ（４；１，２；３，５））のうち、準斜め渡り巻線部Ｒａ（Ｌ（３；３，３＋α；３，５））上に位置する漸進的乗上げ横方向巻線部分ＹＭ（Ｌ（３，４；４；３，６））に重なる領域（図７の（ｂ）の黒丸「●」の領域）Ｘ４は、第四層Ｌ４よりもかなり高い位置に達する。一方、乗上げ斜め渡り巻線部ＲＭ（Ｌ（４；１，２；３，５））のうち第三層（下側の層）Ｌ３に降りた部位は、丁度第四層（上側の層）Ｌ４にある。その結果、図６の（ａ）及び（ｂ）に示したように、乗上げ斜め渡り巻線部ＲＭ（Ｌ（４；１，２；３，５））と第二列の横方向巻線部Ｙ（Ｌ（４；２；１，６））との転向部ＴＣ４の手前側の乗越え領域Ｘ４には、横断面Ｖと平行な面でみて矩形Ｓの外向きＪに突出した突出部Ｈ４が不可避的に生じることも、突出部Ｈ２の場合と同様である。
【００９８】
但し、図３の（ｄ）及びその拡大図である図６の（ａ）からわかるように、ＴＣ４の手前の領域Ｘ４に生じる突出部Ｈ４は、側面Ｐ３にあり、転向部ＴＣ２の手前側の乗越え領域Ｘ２に生じる突出部Ｈ２が生じる側面Ｐ１とは異なる。すなわち、突出部Ｈ４は突出部Ｈ２とは全く異なる領域（部位）に生じるので、多層整列巻コイル１の外表面は、四層目までが形成された状態では、最大限、突出部Ｈの一つ分の凸部を備えるに止まる。また、図３の（ｄ）や図６の（ａ）からもわかるように、二層目にできた突出部Ｈ２の上に三層目及び四層目の巻線層が形成されることにより、該突出部Ｈ２は相当均されて全体として平坦になっている。すなわち、二層目の外表面では突出部Ｈ２のところに局所的な突出があることからその上に巻回される巻線部が比較的乱れ易いのに対して、四層目の外表面では突出部Ｈ２のところの突出がよりなだらかな凸状領域になるので、その上に巻回される巻線部が乱れる虞れが少なくなっている。
【００９９】
従って、このように突出部Ｈの形成領域が分散された多層整列巻コイル１では、該コイル１の一箇所又は限られた箇所のみが外方に突出するのを避け得る。その結果、大きさ（幅、厚さ又は長さ）が限られた間隙に、多層整列巻コイル１が確実に収容され得る。それゆえ、限られた大きさの間隙に収容される多層整列巻コイル１のターン数を最大限に高めることが可能になる。換言すれば、限られた大きさの間隙に収容される多層整列巻コイル１の巻線のターン数ないし占積率を最大限に高めることが可能になる。
【０１００】
更に、このように突出部Ｈの形成領域が分散された多層整列巻コイル１では、該コイル１の一箇所又は限られた箇所のみが外方に突出するのを避け得るから、巻線Ｄが崩れる虞れを最低限にして巻線の積層数を最大限にし得る。従って、巻線Ｄが崩れる虞れを最低限にして、多層のコイルを形成し得る。
【０１０１】
四層目で二列目の横方向巻線部Ｙ（Ｌ（４；２；３，６））が角部Ｋ３に達すると、その後、側面Ｐ４；Ｐ１；Ｐ２；Ｐ３において、隣接列の巻線部に沿って、１２．７５〜１３．５ターン目、１３．７５〜１４．５ターン目の横方向巻線部Ｙ；Ｙ；Ｙ；Ｒ，Ｙが形成され、更に、側面Ｐ４，Ｐ１，Ｐ２に１４．７５〜１５．２５ターン目の巻線部Ｙ，Ｙ，Ｙが形成される。ここで、１４．７５ターン目や１５ターン目の横方向巻線部Ｙは、角部Ｋ３，Ｋ４において、第三層の第一列の準斜め渡り巻線部に部分的に載る。これは、前述のように、α＜０．５であることにより、可能になっている。
【０１０２】
次に、五層以上の積層について説明する前に、簡易的な表記の仕方を、図８の（ａ）及び（ｂ）に基づいて、簡単に、説明する。図８の（ａ）では、四層の積層に際して、最高乗上げ部である乗越え領域Ｘに生じる二層目の突出部Ｈ２から積層方向に対して少しずれたところに同様な四層目の突出部Ｈ４が形成されている。これらの最高乗上げ部である乗越え領域Ｘに生じる突出部Ｈ２，Ｈ４が、図８の（ｂ）では、二層目及び四層目において積層方向に対して多少ずれたところに「く」字状（「Ｖ」字状（但し、「Ｖ」の一対の脚部が鈍角をなす））に模式的に示されている。なお、巻線Ｄは連続的な線であるけれども、模式的な図では、各層が単に積層されているかの如く示されている。
【０１０３】
次に、五層以上の積層がある場合について、巻線の積層状態を模式的に表した図８の（ａ）に基づいて説明する。図８の（ｃ）の多層整列巻コイル１では、二層目が突出部Ｈ２のある乗越え領域ないし最高乗上げ部位Ｘ２を側面Ｐ１において転向部ＴＣ２の近傍に備えるように一層目及び二層目が形成され、四層目が突出部Ｈ４のある乗越え領域である最高乗上げ部位Ｘ４を側面Ｐ１とは反対側の側面Ｐ３において転向部ＴＣ４の手前側に備えるように三層目及び四層目が形成されている。従って、多層整列巻コイル１において、五層目以上の層を同様に形成する場合、多層整列巻コイル１では、図８の（ｃ）に示したように、六層目が突出部Ｈ６のある転向部ＴＣ６を側面ＰＣ３とは反対側の側面Ｐ１に備えるように、五層目及び六層目が形成され、それ以後も、同様に、七層目及び八層目の二層、九層目及び十層目の二層が形成されることが所望の層数だけ繰返されればよい。以上において、三層目及び四層目の二層目に対する相対的な位置関係と、五層目及び六層目の四層目に対する相対的な位置関係は同じである。それ以降も同様である。
【０１０４】
多層整列巻コイル１の横断面が、正方形ではなくて、長方形や長円形である場合、他に制約条件がないときは、好ましくは、図８の（ｃ）で示したように、側面Ｐ１，Ｐ３としては、典型的には、長方形や長円形の長さの長い辺に相当する側面が選択される。
【０１０５】
なお、突出部Ｈを二層毎に分散させるための側面としては、最初の側面Ｐ１に対して反対側の側面Ｐ３の代わりに、例えば、図８の（ｄ）に示したように側面Ｐ２であってもそれと実際上対等な側面Ｐ４であってもよい。多層整列巻コイル１の横断面が長方形や長円形の場合、側面Ｐ１，Ｐ３が長辺であれば、側面Ｐ２，Ｐ４は短辺又は弧状の辺である。
【０１０６】
また、突出部Ｈの位置する側面として二つの側面を交互に用いる代わりに、図８の（ｅ）に示したように、異なる側面を順に（例えば、Ｐ１→Ｐ２→Ｐ３→Ｐ４→Ｐ１→・・・（繰返し））選択しても、異なる側面を実際上ランダムに選択してもよい。
【０１０７】
なお、同一側面の同様な領域に突出部Ｈができるように、多数の層を重ねることは排除されるべきであるけれども、同一側面（例えば、側面Ｐ１）の同様な領域に、突出部Ｈが２〜３回程度（例えば、第二層、第四層、第六層）続けて形成されることを絶対に避けるべきであるというわけではない。すなわち、前述のように、占積率の観点からすると突出部Ｈが同一の側面に重なるように巻回する方が好ましい。従って、多層整列巻コイル１の外表面の突出が比較的大きくてもよい場合には、整列巻が難しくなる程度に突出部Ｈの積層による過大な突出部が形成されない限り、同一側面に突出部Ｈを形成することを繰り返し、整列巻が困難になると、突出部Ｈを形成する側面を他の側面に変更することによって、突出部Ｈの形成領域を分散させるようにしてもよい。なお、突出部Ｈが重なる場合であっても、通常、ある層の突出部Ｈの上に形成される突出部Ｈの頂点Ｘは、その下の突出部Ｈの頂点Ｈから多少はずれるので、ターン数の最大化を図る場合には、突出部Ｈを２〜３回程度重ねることはあり得る選択である。
【０１０８】
なお、突出部Ｈが、同一の側面に連続して積層形成される場合であっても、突出部Ｈの形成される領域を多少ずらすことは、可能である。典型的には、巻線Ｄに加える張力を多少強めにすると、転向部Ｔが多層整列巻コイルの巻方向前方（巻線を巻き進める向き）に多少ずれ、逆に、巻線Ｄに加える張力を多少弱めにすると、転向部Ｔが多層整列巻コイルの巻方向後方に多少ずれる。また、突出部の形成される側面が長方形断面の長辺であって且つその長辺が比較的長い場合には、長辺が複数の角度領域（後で図１１に関連して説明する角度領域φ１，φ２，・・・と等価）からなるとみなして、該複数の異なる領域に突出部を分散させてもよい。
【０１０９】
例えば、１０層よりも相当多い層からなる多層整列巻コイルを形成する場合、同一側面の同様な領域に、突出部Ｈができるように同じ形態の二層を数回（例えば２〜３回程度）繰返して形成してもよい。例えば、図８の（ｆ）に示した多層整列巻コイル１では、突出部Ｈ２，Ｈ４が側面Ｐ１に連続的に形成されているけれども、側面Ｐ１にある突出部Ｈ４に対して突出部Ｈ６を側面Ｐ３に変えることにより、突出部Ｈ２，Ｈ４が連続的に形成されて突出変形の大きな巻線部分の平坦化を図り、突出部Ｈ４，Ｈ６，Ｈ８，Ｈ１０については、側面を、Ｐ１→Ｐ３→Ｐ１→Ｐ３と変えることにより、突出部Ｈによる突出の累積を抑えている。
【０１１０】
また、突出部Ｈの形成領域は、例えば、図９の（ａ）〜（ｆ）に示したように、変更ないし分散させてもよい。なお、図９の（ａ）〜（ｆ）では、コイルの横断面が正方形であるとして表示している。図９の（ａ）の例では、突出部ＨすなわちＨ２，Ｈ４，Ｈ６，Ｈ８，Ｈ１０が同じ側面（この例ではＰ２）において、積層方向に対して少しづつズレた状態で配置されるように、コイルが形成されている。一方、図９の（ｂ）のコイルでは、同じ側面における突出部Ｈの位置ズレと側面の変更とが組合わされている。また、図９の（ｃ）では、同じ側面における突出部Ｈの位置ズレと側面の変更に加えて、角部（但し多少は丸みがあり、外側の層程曲率半径が大きい（以下同））の利用が組み合わされている。図９の（ｄ）では、突出部Ｈの場所として同じ角部が複数回使用され、過度に同じ角部に突出部が重なるのを避けるべく、一部の突出部（この例ではＨ８）が別の角部に形成されている。なお、この図９の（ｄ）以降、図９の（ｆ）までは、突出部Ｈが全て角部に形成されている例である。図９の（ｅ）では、突出部Ｈが形成される突出部Ｈが連続的に過度に重なるのを避けるべく、分散されている。この例は、連続積層回数が二回までの例である。図９の（ｆ）は、おおまかには同じ角部であるけれども、円弧状領域に突出部Ｈが分散されている例である。
【０１１１】
以上のように、側面及び角部（外側の層では広がりのある領域として扱い得る）に、突出部Ｈが分散されるように、巻回されたコイルであれば、崩れることなく、整列巻きされ得る。
【０１１２】
なお、突出部Ｈの分散は、多層整列巻コイル１の積層数が少ない場合にも、有益である。すなわち、例えば、多層整列巻コイル１の外表面の突出を極力避ける必要がある場合には、積層数の比較的少ないコイルであっても、少なくとも、一回（一層）以上、突出部Ｈができる箇所を分散させることにより、多層整列巻コイル１が厚さ変動が少なく形状の不規則性が少ないものになり得る。
【０１１３】
更に、例えば、多層整列巻コイル１の横断面が図１１の（ａ）に示したように円形など曲線状の輪郭を有する場合、突出部Ｈ２，Ｈ４，Ｈ６等の形成される領域が、異なる中心角領域φ１，φ２，φ３（相互に区別しないとき又は総称するときはφで表す）等であればよい。ここで、中心角領域φは、山状の突出部Ｈの幅よりも実際上大きい角度領域（山状突出部Ｈのテール又はそれより外側に境界を有する領域）であるとする。なお、図１１の（ａ）では、多層整列巻コイルの巻線層は具体的には示していないけれども、例えば、各突出部Ｈ２，Ｈ４及びＨ６は、例えば、第二層、第四層及び第６層の巻線の転向部ＴＣ２，ＴＣ４及びＴＣ６の手前側に位置する乗越え領域Ｘ２，Ｘ４，Ｘ６に起因すると想定している。
【０１１４】
なお、以上のような中心角領域ないし角度領域φの概念は、図１１の（ｃ）に示したように、直線状部分と曲線状部分とを備えた長円形状の横断面の多層整列巻コイルにも当てはまる。ここで、直線状部分が十分に長い場合、該直線状部分が図１１の（ｃ）に示したように複数の中心角領域ないし角度領域φ１，φ２等からなるとみなして、突出部Ｈ２，Ｈ４等を形成してもよい。図８の（ａ）〜（ｄ）に示した横断面が長方形の多層整列巻コイルの長辺でも同様である。即ち、異なる層の突出部Ｈを、異なる側面に形成する代わりに、同一側面の異なる中心角領域ないし角度領域φに分散させて形成してもよい。
【０１１５】
以上においては、二層を一組として、同じ側面（同じ中心角領域）に突出部Ｈを形成させると説明したけれども、多層整列巻コイル１において、二層毎に一組になっていなくてもよい。すなわち、多層整列巻コイル１では、二層目の突出部Ｈ２と三層目の突出部Ｈ３とが同一の側面Ｐ１に位置するけれども、三層目の突出部Ｈ３が二層目の突出部とは異なる側面Ｐ２，Ｐ３又はＰ４に位置していてもよい。他の層（四層目と五層目等）についても同様である。すなわち、例えば、突出部Ｈ２と突出部３とは元々多層整列巻コイル１の軸線Ｃの延在方向の異なる箇所に位置するので、突出や崩れに関しては、相互の影響は少ないから、独立に配置され得る。但し、突出部Ｈ３を突出部Ｈ２とは異なる側面又は中心角領域に配置するためには、前述の準斜め渡り巻線部ＹＭを敢えて形成する必要があり、該準斜め渡り巻線部ＹＭの形成に伴い巻線のターン数を１ターンの数分の１は低下させる必要があるから、これに伴うターン数や占積率の低下が不可避になる。従って、特に必要がない限り、通常は、１層毎に突出部Ｈを形成する側面や中心角領域を変えるよりも、２層一組は同一の側面や中心角領域に突出部を形成することが好ましい。
【０１１６】
以上の如く構成された多層整列巻コイル１は、例えば、物品の位置制御に用いられる。
【０１１７】
図１２の（ａ）及び（ｂ）に示した位置制御機構５０は、横断面が長方形の平角線多層整列巻コイル１とＵ字状の可動部材５１とを有する。多層整列巻コイル１は、長方形断面の一方の長辺５２のある外側面５３でコイルユニット固定ベース５４の平坦な表面５５に固定されている。固定ベース５４は、例えば、カメラの筐体（図示せず）に対して固定・静置されており、その表面５５の向き及び平面度は高い。多層整列巻コイル１は、前述のように長辺５２，５６の外表面５３，５７の突出が最低限に抑えられるように、最高乗上げ部位Ｘが分散され突出部Ｈが分散されて形成されている。従って、多層整列巻コイル１の外表面５３の実際上全体が固定ベース５４の表面５５に密接された状態で、固定ベース５４に固着されている。この状態で、多層整列巻コイル１の中心軸線Ｃは、固定ベース５４の表面５５に対して平行になっている。
【０１１８】
可動部材５１は、例えば、カメラの筐体（図示せず）に対してＺＣ方向に可動に該筐体に支持されたレンズ構造体（図示せず）に固定されている。ここで、方向ＺＣは、多層整列巻コイル１の中心軸線Ｃの延在方向と平行である。可動部材５１は、Ｕ字状のヨーク板６０と一対の平板状磁石５８，５９とを有する。各平板状磁石５８，５９は、厚さ方向に磁化されている。ヨーク板６０の一対の脚部６１，６２のうち一方の脚部６２は、多層整列巻コイル１の角柱状空洞６３に挿通されて、ＺＣ方向に延びている。
【０１１９】
磁石５８，５９は、多層整列巻コイル１のうち該磁石５８，５９の間に挟まれている部分、すなわち横断面長方形の多層整列巻コイル１のうち長辺５６側の巻線部分６４に対して、一様なＶＭ方向の磁場を与える。ここで、方向ＶＭは、多層整列巻コイル１の中心軸線Ｃに対して垂直な平面内で多層整列巻コイル１の長方形の長辺５６の延在方向すなわち巻線部分６４の巻線Ｄの延在方向に対して直角な方向である。
【０１２０】
多層整列巻コイル１の巻線部分６４の巻線ＤにＩ１，Ｉ２方向の電流が流れると、コイル１の巻線部分６４に対してＺＣ２，ＺＣ１方向の力が働き、可動部材５１が反作用を受けてＺＣ１，ＺＣ２方向に移動される。すなわち、多層整列巻コイル１の巻線Ｄに流す電流Ｉの向き及び時間を変えることにより、カメラのレンズ構造体（図示せず）のＺＣ方向の位置を変え、レンズ構造体による焦点合わせを制御し得る。
【０１２１】
以上のような位置制御機構５０において、多層整列巻コイル１の長さが１ｃｍ程度である場合、多層整列巻コイル１と可動部材５１との間隙Ｇ５，Ｇ６，Ｇ７の大きさは、典型的には、０．２〜０．３ｍｍ程度である。
【０１２２】
この位置制御機構５０において、例えば、横断面が長方形の多層整列巻コイル１のうち側面５７側の巻線部分６４に突出部Ｈの累積に起因する過大な突出部があると、可動部材５１の磁石５８が多層整列巻コイル１の巻線部６４の外表面５７に当たったり擦れたりするか又は可動部材５１の磁石５９が多層整列巻コイル１の巻線部６４の内表面６５に当たったり擦れたりする虞れがある。また、この位置制御機構５０において、例えば、横断面が長方形の多層整列巻コイル１のうち側面５３側の巻線部分６６に突出部Ｈの累積に起因する過大な突出部があると、多層整列巻コイル１が支持体５１の表面５５に対して傾いて、可動部材５１のヨーク板６０の脚部６２又は磁石５９が多層整列巻コイル１の角柱状空洞６３の内面６７，６５に当たったり擦れたりする虞れがある。更に、上記のような機械的な当接や接触がなくても、多層整列巻コイル１が可動部材５１に対して及ぼす力の製品による個体差が大きくなり、製品の信頼性が低下する虞れがある。
【０１２３】
ところが、この多層整列巻コイル１では、突出部Ｈによるコイル１の外表面５３，５７の突出が最低限に抑えられ、多層整列巻コイル１の外表面の形状及び寸法が比較的高精度に均一化され得るので、上記のような問題が生じる虞れが少ない。その結果、多層整列巻コイル１の一層の小型化も図られ得る。また、不規則な突出部Ｈの生起を最低限に抑え得るから、間隙Ｇ５，Ｇ６，Ｇ７を最低限にすることが可能になり、磁石５８，５９間の直方体状の間隙内に位置する巻線部６４のターン数を最大限に高めることが可能になる。従って、磁石５８，５９間の直方体状の間隙内に位置する巻線Ｄの実効的な占積率を最大限に高め得る。
【０１２４】
図１３の（ａ）及び（ｂ）に示した位置制御機構７０は、横断面が長方形の平角線多層整列巻コイル１と該コイル１を包むようにＵ字状に延びた可動部材７１とを有する。この位置制御機構７０は、ボイスコイルを構成し、例えば、磁気ディスク装置において磁気ヘッドのアームの位置制御等に用いられ得る。
【０１２５】
多層整列巻コイル１は、図示しない支持体に固定されており、可動部材７１は該支持体（図示せず）に対して、ＺＡ方向に可動に支持されている。
【０１２６】
可動部材７１は、ＺＡ方向に対する横断面がＵ字状のヨーク板７２と該ヨーク板７２の一対の脚部７３，７４に固定された二対の平板状磁石７５，７６及び７７，７８とを有する。各平板状磁石は、厚さ方向に磁化されており、磁石対７５，７６は、ＶＭ１方向の磁場を形成し、磁石対７７，７８は逆向きＶＭ２（−ＶＭ１）の磁場を形成する。
【０１２７】
多層整列巻コイル１は、中心軸線Ｃが、磁石対７５，７６及び７７，７８の面に垂直で磁場の向きＶＭ１，ＶＭ２に平行になり、且つその横断面の長方形の長辺８１，８２の延在方向がＺＡ方向に平行になるように、Ｕ字状可動部材７１のヨーク板７２の脚部７３，７４並びに磁石７５，７７及び７６，７８の間の直方体状の空所７９内に位置する。
【０１２８】
多層整列巻コイル１の巻線Ｄに対して一方の向きＩ３に電流を流すと、可動部材７１は、磁石対７５，７６の中央部に多層整列巻コイル１の中心軸線Ｃが対面する位置に向かってＺＡ２方向に移動され、多層整列巻コイル１の巻線Ｄに対して他方の向きＩ４に電流を流すと、可動部材７１は、磁石対７７，７８の中央部に多層整列巻コイル１の中心軸線Ｃが対面する位置に向かってＺＡ１方向に移動される。従って、位置制御装置７０では、コイル１の巻線Ｄに流す電流の向き及び通電時間を制御することにより、可動部材７１のＺＡ方向の位置を制御し得る。
【０１２９】
この位置制御装置７０においても、多層整列巻コイル１の長方形断面の長辺の長さが１ｃｍ程度である場合、多層整列巻コイル１と可動部材７１との間隙Ｇ８，Ｇ９は、例えば、０．２〜０．３ｍｍ程度である。
【０１３０】
この位置制御装置７０において、多層整列巻コイル１の長辺の外表面に過大な突出部があると、多層整列巻コイル１が直方体状の空所７９内に収まり難い。また、多層整列巻コイル１が直方体状空所７９内に奥深く配置される必要があることから、多層整列巻コイル１の突出部の最大の突出や最大の乱れを考慮して多層整列巻コイル１の配設位置を決める必要があり、結果的に、間隙Ｇ８を大きめに採る必要がある。
【０１３１】
次に、以上のような多層整列巻コイル１を形成するための平角線多層整列巻コイル製造装置２０の一例について図１４から図１６に基づいて説明する。
【０１３２】
図１４及び図１５からわかるように、多層整列巻コイル製造装置２０は、床２１に立設されたテーブル２２と、床２１に載置され丸線Ｄｒが巻かれたボビン２３と、線材の案内機構２４と、平角圧延機構２５と、テンション機構すなわち張力付与調整機構２６と巻機３０とを有する。この例では、線材の案内機構２４、平角圧延機構２５、テンション機構すなわち張力付与調整機構２６及び巻機３０は、テーブル２２上に載置されている。丸線Ｄｒは、横断面が円形の銅線と該銅線を絶縁被覆する絶縁層とを有し、該絶縁層の外表面には、熱融着性材料層が設けられている。但し、熱融着性材料層はなくてもよい。ここで、丸線Ｄｒの銅線部分の直径は、例えば、０．０２〜０．２ｍｍ程度であり、典型的には、０．０４〜０．１ｍｍ程度である。但し、０．０２ｍｍよりも細くても、０．２ｍｍよりも太くてもよい。最終的に形成される平角線Ｄは、典型的には、長方形横断面のアスペクト比（縦横比）が３程度で、幅（長辺）が０．０５〜０．２ｍｍ程度、厚さ（短辺）が０．０２〜０．０５ｍｍ程度である。
【０１３３】
案内機構２４は、複数のローラ２４ａ，２４ｂ，２４ｃを含み、テーブル２２の端部にある丸線案内部２２ａを介してボビン２３から上向きＷ１方向に引出した丸線Ｄｒを、圧延機構２５に向かうようにほぼ水平方向Ｗ２に転向させる。なお、丸線案内部２２ａでは丸線Ｄｒの引出しに対してある程度の摩擦抵抗がある。平角圧延機構２５は、一対の圧延ローラ２５ａ，２５ｂを備え、張力付与調整機構２６によってＷ３方向に引っ張られる丸線Ｄｒを圧延して平角線Ｄにする。なお、圧延機構２５により形成される平角線Ｄの横断面形状は、典型的には、長方形というよりもむしろ長円形に近い形状であることは前述のとおりである。但し、丸線Ｄｒが太く平角線Ｄの横断面のサイズが大きい場合、圧延機構２５は、平角線Ｄの横断面形状が長方形に近付くように、複数の圧延処理を行うようになっていてもよい。張力付与調整機構２６は、一対のローラ２６ａ，２６ｂに加えて張力を付与するための引張ないし懸垂ローラ２６ｃを有し、圧延機構２５から送出した平角線Ｄが所定の張力で巻機３０によってＷ４方向に引出されるように、平角線Ｄに所望の張力を付与する。張力付与機構２６は、巻機３０への出側の平角線Ｄの張力のみでなく、圧延機構２５から引出される平角線Ｄの引出し張力を調整するように複数の張力調整部を備えていてもよい。
【０１３４】
巻機３０は、筐体３１と、巻芯１０及び該巻芯１０を支える回転軸本体部３３，３４と、該回転軸本体部３４を回転駆動する巻芯回転用モータ３５と、回転軸３３の軸受３６と、モータ３５の回転を制御する巻芯回転制御機構３７とを有する。この例では、図示の便宜上、回転軸本体部３４側がモータ３５により駆動されるとして説明しているけれども、回転軸本体部３４の代わりに、巻芯１０が一体的に取付けられた回転軸本体部３３側が、モータ３５により回転駆動されるようになっていてもよい。巻機３０は、更に、巻芯１０に巻回されるべき平角線Ｄの軸線方向Ｃの位置を制御するトラバース機構４０を備える。なお、符号３８（図１４）は、平角線Ｄの表面にある熱融着性層を軟化ないし溶融させるための加熱器である。
【０１３５】
トラバース機構４０は、外周面の周方向溝部に沿って平角線Ｄを案内するローラ４１と、該ローラ４１の軸線方向Ｚの位置を調整するボールネジの如き位置調整軸４２と、該位置調整軸４２を正逆回転させるトラバース用モータ４３と、該トラバース用モータ４３の回転を制御するトラバース位置制御機構４４とを有する。制御機構３７，４４の動作は、操作盤を含む中央制御部４５により、調整制御される。なお、中央制御部４５は、圧延機構２５の圧延ローラの駆動用モータ（図示せず）の回転駆動も同期制御する。
【０１３６】
なお、図１６の（ａ）から（ｃ）に示したように、巻芯１０は、先端部に係合突起９１を備え、回転軸本体部３４は、該突起９１が引出し可能に嵌着される凹部９２をフランジ状面１３に備える。また、巻芯１０及び係合突起９１には、多層整列巻コイル１を形成すべき平角線Ｄの先端部Ｄｔを挿入固定するための溝部９３が形成されている。一方、回転軸本体部３４の先端面には、溝部９３と協働して平角線Ｄの先端部を挿入固定するための溝部９４及び平角線Ｄの巻芯１０への巻始め部分を案内するための案内面９５を備えた案内凹部９６が形成されている。
【０１３７】
多層整列巻コイル１の形成に際しては、まず、平角線Ｄの先端Ｄｔを溝９３内に挿入しておいて、回転軸本体部３３の突起部９１を回転軸本体部３４の凹部９２内に嵌合すると共に巻線Ｄの先端Ｄｔ近傍部分を案内凹部９６に沿わせる。これにより、巻線Ｄは、図１６の（ｃ）に示したように、巻芯１０の側面Ｐ１に沿って延在して、図１の（ａ）に示したのと同様な状態になる。なお、巻機３０では、巻芯１０の横断面は、正方形ではなく長方形である点で、図１の（ａ）などに示した巻芯１０とは異なる形状を有する。
【０１３８】
次に、中央制御部４５の制御下で、一方では、圧延機構２５の圧延ローラ対２５ａ，２５ｂの駆動を制御して丸線Ｄｒを平角化して平角線Ｄを形成しつつ、制御機構３７を介して巻芯回転用モータ３５を回転駆動させて巻芯１０をＣ１方向に回転させながら、他方では、巻芯１０に対する巻線Ｄの巻付位置（列及び層）に応じて、制御機構４４を介してトラバース用モータ４３を回転駆動して位置調整軸４２を正逆転させることによりトラバース用ローラ４１をＺ１，Ｚ２方向に移動させることにより、巻芯１０に巻線Ｄを巻きつける。例えば、転向部Ｔにおいては、図４の（ｂ）に関連して説明したように既に巻回済みの巻線部から離れた向きに巻線Ｄを延ばしておいてＥ１方向に振って巻回済みの巻線部の側縁にぶつけるべく、巻線Ｄをトラバース装置４０によってＥ１方向にトラバースさせればよい。なお、巻付に際して、必要に応じて、巻付力や転向位置を調整すべく、例えば、張力を調整しつつ巻き付けることも前述のとおりである。ここで、巻線Ｄを所望の張力下で且つ巻芯１０のＣ１方向回転に同期させてこのようなトラバース装置４０によるトラバース制御を行うだけで、所望の転向部Ｔが形成されるのは、平角線Ｄが実際上銅線からなり且つ典型的にはその幅Ｄａが０．０５〜０．２ｍｍ程度と狭く且つその厚さＤｂが０．０２〜０．０５ｍｍ程度と薄いことによる。但し、幅Ｄａや厚さＤｂはより大きくてもよい。なお、幅Ｄａや厚さＤｂがはるかにおおきかったり、平角線Ｄの線材が銅よりも剛性のはるかに高い材料からなるような場合、所望ならば、線材を巻芯１０の表面や巻回済み巻線部分に押付ける巻付補助工具を備え、且つ該補助工具を巻付と同期して制御するようになっていてもよい。
【図面の簡単な説明】
【０１３９】
【図１】本発明の好ましい一実施例の多層整列巻コイルとしての平角線多層整列巻角形コイルを形成するプロセスを示したもので、（ａ）〜（ｄ）は最初の数段階を示した斜視説明図。
【図２】本発明の好ましい一実施例の多層整列巻コイルとしての平角線多層整列巻角形コイルを形成するプロセスを示したもので、（ａ）〜（ｄ）は図１の（ａ）〜（ｄ）の段階に続く数段階を示した斜視説明図。
【図３】本発明の好ましい一実施例の多層整列巻コイルとしての平角線多層整列巻角形コイルを形成するプロセスを示したもので、（ａ）〜（ｄ）は図２の（ａ）〜（ｄ）の段階に続く数段階を示した斜視説明図。
【図４】図１の（ｄ）の巻回状態にあるコイルを拡大して示したもので、（ａ）は（ｂ）の側面説明図、（ｂ）は図１の（ｄ）を拡大して示した斜視説明図。
【図５】本発明の好ましい一実施例の多層整列巻コイルとしての平角線多層整列巻角形コイルを形成するプロセスのうち図２のプロセスの一部をより詳しく示したもので、（ａ）及び（ｂ）は図２の（ｃ）と図２の（ｄ）との間の状態を示した斜視説明図。
【図６】図３の（ｃ）の巻回状態にあるコイルを拡大して示したもので、（ａ）は（ｂ）の側面説明図（図３の（ｄ）の拡大図）、（ｂ）は図３の（ｃ）を拡大して示した斜視説明図。
【図７】本発明の好ましい一実施例の多層整列巻コイルにおいて突出部が形成される状況を示したもので、（ａ）は突出部Ｈ２が形成される状況を示した平面説明図（各巻線の両側の細幅部分は、図１０の（ｃ）や（ｅ）のような横断面で見て丸みのある側縁であり厚さが徐々に変化している部分）、（ｂ）は突出部Ｈ４が形成される状況を示した平面説明図（（ａ）で示した厚さの徐々に変化する側縁の図示は略）。
【図８】本発明の好ましい実施例の多層整列巻コイルのいくつかを示したもので、（ａ）は四層まで巻いた状態で突出部が同じ側面で且つズレた位置に形成された状態を示した側面説明図、（ｂ）は（ａ）の突出部を模式的に示した模式的側面説明図、（ｃ）〜（ｆ）は十層まで巻いた状態における突出部の位置を（ｂ）と同様に模式的に示したものであり、（ｃ）は突出部が二つの角度領域に分散した多層整列巻角形コイルの側面説明図、（ｄ）は突出部が二つの角度領域に分散し且つ一方の突出部短辺に位置する多層整列巻角形コイルの側面説明図、（ｅ）は突出部が四つの角度領域に分散した多層整列巻角形コイルの側面説明図、（ｆ）は突出部が二つの角度領域に分散し且つ一つの角度領域では隣接する二つの層の突出部が同じ角度領域に形成された多層整列巻角形コイルの側面説明図。
【図９】本発明の好ましい実施例の多層整列巻コイルの他のいくつかを図８の（ｂ）〜（ｆ）と同様に模式的に示したもので、（ａ）〜（ｆ）は各種の変形例の模式的側面説明図。
【図１０】幅広線としての平角線を示したもので、（ａ）及び（ｂ）は理想的な平角線の断面説明図及び平面説明図、（ｃ）及び（ｄ）は横断面が長円形状で側縁が直線から多少ズレた平角線の側面説明図及び平面説明図、（ｅ）及び（ｆ）は横断面が歪んだ長円形状で側縁が蛇行した平角線の側面説明図及び平面説明図。
【図１１】本発明の好ましい実施例の多層整列巻コイルのいくつかを模式的に示したもので、（ａ）は横断面が円形の多層整列巻コイルの模式的説明図、（ｂ）は横断面が三角形の多層整列巻コイルの模式的説明図、（ｃ）は横断面が長円形の多層整列巻コイルの模式的説明図。
【図１２】本発明の一実施例の多層整列巻コイルを備えた位置制御機構を示したもので、（ａ）は（ｂ）のＸＩＩＡ−ＸＩＩＡ線断面説明図、（ｂ）は（ａ）の側面説明図。
【図１３】本発明の一実施例の多層整列巻コイルを備えた別の位置制御機構を示したもので、（ａ）は（ｂ）のＸＩＩＩＡ−ＸＩＩＩＡ線断面説明図、（ｂ）は（ａ）の正面説明図、（ｃ）は（ｂ）のＸＩＩＩＣ−ＸＩＩＩＣ線断面説明図。
【図１４】本発明の一実施例の多層整列巻コイルを製造するための多層整列巻コイルの模式的正面説明図。
【図１５】図１４の装置の模式的平面説明図。
【図１６】図１４の装置の巻機の巻芯部分を示したもので、（ａ）は巻線を取付ける際の状態を示した側面説明図、（ｂ）は（ａ）のＸＶＩＢ−ＸＶＩＢ線矢示説明図、（ｃ）は巻付の際の状態を示した側面説明図。
【図１７】従来の平角線多層整列巻角形コイルを形成するプロセスを示したもので、（ａ）〜（ｃ）は三つの段階を示した斜視説明図。
【図１８】従来の別の平角線多層整列巻角形コイルを形成するプロセスを示したもので、（ａ）〜（ｃ）は三つの段階を示した斜視説明図。
【図１９】従来の更に別の平角線多層整列巻角形コイルを形成するプロセスを示したもので、（ａ）〜（ｈ）は八つの段階を示した斜視説明図。
【図２０】図１９の一部を拡大して示したもので、（ａ）は図１９の（ｃ）の拡大図、（ｂ）は（ｄ）の拡大図。
【図２１】図１９の（ｄ）の状態を説明するためのもので、（ａ）は（ｂ）の側面説明図、（ｂ）は異なる角度からみた（ａ）と対比するための斜視説明図で図２０の（ｂ）と同じ図。
【図２２】図１９の一部を拡大して示したもので、（ａ）は図１９の（ｇ）の拡大図、（ｂ）は（ｈ）の拡大図。
【図２３】図１９の（ｈ）の状態を説明するためのもので、（ａ）は（ｂ）の側面説明図、（ｂ）は異なる角度からみた（ａ）と対比するための斜視説明図で図２２の（ｂ）と同じ図。
【符号の説明】
【０１４０】
１  多層整列巻角形コイル（角筒状多層整列巻コイル）
１０  巻芯
１０ａ  （仮想的）巻芯本体
１１，１２  端面
１３，１４  フランジ状支持面
２１  多層整列巻コイル製造装置
２２  床
２２ａ  丸線案内部
２３  テーブル
２４  案内機構
２５  平角圧延機構
２５ａ，２５ｂ  圧延ローラ
２６  張力付与機構（テンション機構）
２６ａ，２６ｂ，２６ｃ  ローラ
３０  巻機
３３，３４  回転軸本体部
３５  巻芯回転用モータ
３６  軸受
３７  巻芯回転制御機構
４０  トラバース機構
４１  ローラ
４２  位置調整軸
４３  トラバース用モータ
４４  トラバース位置制御機構
４５  中央制御部
５０  位置制御機構
５１  可動部材
５２，５６  長辺
５３，５７  該側面
５４  コイルユニット固定ベース
５５  表面
５８，５９  平板状磁石
６０  ヨーク板
６１，６２  脚部
６４  コイルの巻線部
６５，６７  内面
６６  巻線部分
７０  位置制御機構
７１  可動部材
７２  ヨーク板
７３，７４  脚部
７５，７６，７７，７８  平板状磁石
７９  空所
８１，８２  長辺
９１  係合突起
９２  凹部
９３  溝部
９４  溝部
９５  案内面
９６  案内凹部
Ｂ  斜め方向
Ｃ  中心軸線
Ｃ１  回転方向
Ｄ  平角線（幅広線）
Ｄａ  幅
Ｄｂ  厚さ
Ｄｃ  側縁部
Ｄｄ  主面
Ｄｉ  巻線の一時的延在部
Ｄｒ  丸線
Ｄｔ  先端部
Ｅ１  揺動方向
Ｆ  横方向
Ｇ５，Ｇ６，Ｇ７，Ｇ８，Ｇ９  間隙
Ｈ，Ｈ２，Ｈ４，Ｈ６，Ｈ８，Ｈ１０  突出部
Ｉ１，Ｉ２  電流の向き
ｉ  層番
ｉ１  乗上げ前の層
ｉ２  乗上げ後の層
Ｊ  突出方向
ｊ  列番
ｊ１  斜め渡り巻線部の始点の属する列
ｊ２  斜め渡り巻線部の終点の属する列
ｋ  辺番
ｋ２  巻き線部の種類
Ｌ（ｉ；ｊ；ｋ），Ｌ（ｉ１，ｉ２；ｊ１，ｊ２；ｋ１，ｋ２），Ｌ（ｉ；ｊ１，ｊ２；ｋ１，ｋ２），Ｌ（ｉ１，ｉ２；ｊ；ｋ１，ｋ２），Ｌ（ｉ１，ｉ２；ｊ；ｋ），Ｌ（ｉ；ｊ；ｋ１，ｋ２）  コイルの巻線部分
Ｋ１，Ｋ２，Ｋ３，Ｋ４  角部
Ｌ１，Ｌ２，Ｌ３，Ｌ４，Ｌ５  層
Ｍ  乗上げ巻線部分
Ｐ１，Ｐ２，Ｐ３，Ｐ４  側面
Ｒ  斜め渡り巻線部
Ｒａ  準斜め渡り巻線部
ＲＭ  乗上げ斜め渡り巻線部（漸進的乗上げ斜め渡り巻線部）
Ｓ  矩形（断面形状）
Ｓ１，Ｓ２，Ｓ３，Ｓ４  辺
Ｓａ  辺の長さ
Ｓｂ  巻芯本体の長さ
Ｔ，Ｔ１，Ｔ３，ＴＣ，ＴＣ２，ＴＣ４  転向部
Ｖ  横断面
ＶＭ  磁場の向き
Ｗ１，Ｗ２，Ｗ３，Ｗ４  方向
Ｘ２，Ｘ４  乗越え領域（部分）
ＸＣ２  横切り完了部位
Ｙ  横方向巻線部
ＹＡ２，ＹＡ４  乗上げ開始領域
ＹＢ２，ＹＢ４  漸進的乗上げ領域
ＹＭ  漸進的乗上げ横方向巻線部
ＺＡ，ＺＡ１，ＺＡ２  変位方向
ＺＣ，ＺＣ１，ＺＣ２  変位方向
α，α１，α３，α４  傾斜の程度
φ，φ１，φ２，φ３  角度領域
【図１】
2008159840.tif 000003
【図２】
2008159840.tif 000004
【図３】
2008159840.tif 000005
【図４】
2008159840.tif 000006
【図５】
2008159840.tif 000007
【図６】
2008159840.tif 000008
【図７】
2008159840.tif 000009
【図８】
2008159840.tif 000010
【図９】
2008159840.tif 000011
【図１０】
2008159840.tif 000012
【図１１】
2008159840.tif 000013
【図１２】
2008159840.tif 000014
【図１３】
2008159840.tif 000015
【図１４】
2008159840.tif 000016
【図１５】
2008159840.tif 000017
【図１６】
2008159840.tif 000018
【図１７】
2008159840.tif 000019
【図１８】
2008159840.tif 000020
【図１９】
2008159840.tif 000021
【図２０】
2008159840.tif 000022
【図２１】
2008159840.tif 000023
【図２２】
2008159840.tif 000024
【図２３】
2008159840.tif 000025